(57)【要約】  本発明の複数の実施形態は、スケジューリング方法及び基地局を提供する。セルハンドオーバープロセスにおいては、ターゲットセルにサービスを提供するターゲット基地局は、端末が送信したランダムアクセス要求を受信し、そのランダムアクセス要求にしたがって、端末にランダムアクセス応答を送信し、そして、ランダムアクセス応答を送信した後であって、かつ、ハンドオーバー完了コマンドを受信する前に、端末にアップリンクグラントを事前に送信する。アップリンクグラントを事前に送信することによって、そのターゲット基地局は、セルハンドオーバーが完了する前に、UEのためのアップリンクスケジューリングを実行して、そのセルハンドオーバーによって引き起こされるアップリンク送信遅延を低減することが可能である。
2019522933.tif 000002
【特許請求の範囲】
【請求項１】
スケジューリング方法であって、当該方法は、ターゲットセルへと端末をハンドオーバーさせるプロセスに適用され、
前記端末が送信したランダムアクセス要求を、前記ターゲットセルにサービスを提供するターゲット基地局によって受信するステップと、
前記ランダムアクセス要求にしたがって、前記ターゲット基地局によって前記端末に、ランダムアクセス応答を送信するステップと、
前記ランダムアクセス応答を送信した後であって、かつ、ハンドオーバー完了コマンドを受信する前に、前記ターゲット基地局によって前記端末に、アップリンクグラントを事前に送信するステップと、を含む、
方法。
【請求項２】
当該方法は、
前記端末が送信した前記ハンドオーバー完了コマンドを受信した場合に、前記ターゲット基地局によって、前記端末への前記アップリンクグラントの事前の送信を停止するステップをさらに含む、請求項1に記載の方法。
【請求項３】
前記ターゲット基地局によって前記端末に、アップリンクグラントを事前に送信する前記ステップは、
前記ターゲット基地局によって前記端末に、あらかじめ設定された時間期間の中で複数のアップリンクグラントを送信するステップを含み、当該方法は、
前記あらかじめ設定された時間期間が終了した後に、前記ターゲット基地局によって、前記端末への前記アップリンクグラントの事前の送信を停止するステップをさらに含む、請求項1に記載の方法。
【請求項４】
当該方法は、
前記端末が送信したバッファ状態報告BSR又はスケジューリング要求SRを前記ターゲット基地局によって受信するステップと、
前記ターゲット基地局によって、前記BSR及び前記SRに基づいて、前記端末への前記アップリンクグラントの事前の送信を停止するステップと、をさらに含む、請求項1に記載の方法。
【請求項５】
前記ターゲット基地局によって前記端末に、アップリンクグラントを事前に送信する前記ステップの前に、当該方法は、
前記ターゲット基地局によって、前記端末が、音声サービスを現在有しているか否かを決定するステップをさらに含み、前記ターゲット基地局によって前記端末に、アップリンクグラントを事前に送信する前記ステップは、
前記端末が、音声サービスを現在有している場合に、前記ランダムアクセス応答を送信した後であって、かつ、前記ハンドオーバー完了コマンドを受信する前に、前記ターゲット基地局によって前記端末に、前記アップリンクグラントを事前に送信するステップを含む、請求項1乃至4のうちのいずれか1項に記載の方法。
【請求項６】
前記ターゲット基地局によって前記端末に、アップリンクグラントを事前に送信する前記ステップは、
前記ランダムアクセス応答を送信した後に、前記ターゲット基地局によって、前記端末の前記バッファ状態報告BSRのサイズを増加させるステップと、
前記ターゲット基地局によって、前記BSRの増加させたサイズに基づいて、前記端末にアップリンクリソースを割り当てるステップと、
前記アップリンクリソースを示すのに使用されるアップリンクグラントを、前記ターゲット基地局によって前記端末に事前に送信するステップと、を含む、請求項1乃至5のうちのいずれか1項に記載の方法。
【請求項７】
前記ターゲット基地局によって、前記端末の前記BSRのサイズを増加させる前記ステップは、
前記ターゲット基地局によって、前記端末の現在のサービス属性に基づいて、前記端末の前記BSRの前記サイズを増加させるステップ、又は、
前記ターゲット基地局によって、あらかじめ設定されたサイズに基づいて、前記BSRの前記サイズを増加させるステップ、を含む、請求項6に記載の方法。
【請求項８】
前記ターゲット基地局によって前記端末に、アップリンクグラントを事前に送信する前記ステップは、
前記ターゲット基地局によって前記端末に、あらかじめ設定されたサイズのアップリンクグラントを周期的にかつ事前に送信するステップを含む、請求項1乃至5のうちのいずれか1項に記載の方法。
【請求項９】
前記ランダムアクセス応答を送信した後であって、かつ、ハンドオーバー完了コマンドを受信する前に、前記ターゲット基地局によって前記端末に、アップリンクグラントを事前に送信する前記ステップは、
前記ターゲット基地局によって、前記ランダムアクセス応答を送信した後のN番目の送信時間間隔TTIから、前記端末への前記アップリンクグラントの送信を開始するステップを含み、Nは、3以上であって10以下の正の整数である、請求項1乃至8のうちのいずれか1項に記載の方法。
【請求項１０】
前記ターゲット基地局によって、前記ランダムアクセス応答を送信した後のN番目の送信時間間隔TTIから、前記端末への前記アップリンクグラントの送信を開始する前記ステップは、
前記ターゲット基地局によって、前記ランダムアクセス応答を送信した後の前記N番目の送信時間間隔TTIから、前記端末への複数のアップリンクグラントの送信を開始するステップを含む、請求項9に記載の方法。
【請求項１１】
Nの値は、3である、請求項9又は10に記載の方法。
【請求項１２】
基地局であって、当該基地局は、端末がハンドオーバーされるターゲットセルにサービスを提供するターゲット基地局であって、
前記端末が送信したランダムアクセス要求を受信するように構成される受信モジュールと、
前記ランダムアクセス要求にしたがって、前記端末にランダムアクセス応答を送信するように構成される送信モジュールと、
前記送信モジュールが前記ランダムアクセス応答を送信した後であって、かつ、前記受信モジュールがハンドオーバー完了コマンドを受信する前に、前記送信モジュールを使用することによって、前記端末にアップリンクグラントを事前に送信するように構成されるスケジューリングモジュールと、を含む、
基地局。
【請求項１３】
前記スケジューリングモジュールは、さらに、
前記受信モジュールが、前記端末が送信した前記ハンドオーバー完了コマンドを受信した場合に、前記端末への前記アップリンクグラントの事前の送信を停止するように前記送信モジュールを制御するように構成される、請求項12に記載の基地局。
【請求項１４】
前記スケジューリングモジュールは、特に、
前記送信モジュールを使用することによって、あらかじめ設定された時間期間の中で前記端末に複数のアップリンクグラントを送信し、そして、前記あらかじめ設定された時間期間が終了した後に、前記端末への前記アップリンクグラントの事前の送信を停止するように前記送信モジュールを制御する、ように構成される、請求項12に記載の基地局。
【請求項１５】
前記受信モジュールは、さらに、前記端末が送信したバッファ状態報告BSR又はスケジューリング要求SRを受信するように構成され、
前記スケジューリングモジュールは、さらに、前記BSR及び前記SRに基づいて、前記端末への前記アップリンクグラントの事前の送信を停止するように前記送信モジュールを制御するように構成される、請求項12に記載の基地局。
【請求項１６】
前記端末が、音声サービスを現在有しているか否かを決定するように構成される決定モジュールをさらに含み、
前記スケジューリングモジュールは、特に、
前記端末が、音声サービスを現在有している場合に、前記送信モジュールが前記ランダムアクセス応答を送信した後であって、かつ、前記受信モジュールが前記ハンドオーバー完了コマンドを受信する前に、前記送信モジュールを使用することによって、前記端末に前記アップリンクグラントを事前に送信するように構成される、請求項12乃至15のうちのいずれか1項に記載の基地局。
【請求項１７】
前記スケジューリングモジュールは、特に、
前記送信モジュールが前記ランダムアクセス応答を送信した後に、前記端末の前記バッファ状態報告BSRのサイズを増加させ、
前記BSRの増加させたサイズに基づいて、前記端末にアップリンクリソースを割り当て、そして、
前記アップリンクリソースを示すのに使用されるアップリンクグラントを、前記送信モジュールを使用することによって前記端末に事前に送信する、ように構成される、請求項12乃至16のうちのいずれか1項に記載の基地局。
【請求項１８】
前記スケジューリングモジュールは、特に、
前記端末の現在のサービス属性に基づいて、前記端末の前記BSRの前記サイズを増加させるか、又は、
あらかじめ設定されたサイズに基づいて、前記BSRの前記サイズを増加させる、ように構成される、請求項17に記載の基地局。
【請求項１９】
前記スケジューリングモジュールは、特に、前記端末に、あらかじめ設定されたサイズのアップリンクグラントを周期的にかつ事前に送信するように構成される、請求項12乃至16のうちのいずれか1項に記載の基地局。
【請求項２０】
前記スケジューリングモジュールは、特に、
前記送信モジュールが前記ランダムアクセス応答を送信した後のN番目の送信時間間隔TTIから、前記送信モジュールを使用することによって、前記端末への前記アップリンクグラントの送信を開始する、ように構成され、Nは、3以上であって10以下の正の整数である、請求項12乃至19のうちのいずれか1項に記載の基地局。
【請求項２１】
前記スケジューリングモジュールは、特に、
前記送信モジュールが前記ランダムアクセス応答を送信した後の前記N番目の送信時間間隔TTIから、前記送信モジュールを使用することによって、前記端末への複数のアップリンクグラントの送信を開始するように構成される、請求項20に記載の基地局。
【請求項２２】
Nの値は、3である、請求項20又は21に記載の基地局。
【発明の詳細な説明】
【技術分野】
【０００１】
本発明の複数の実施形態は、通信技術に関し、特に、スケジューリング方法及び基地局に関する。
【背景技術】
【０００２】
無線通信システムにおいては、基地局は、端末に無線リソースを割り当てて、データ伝送を実装する。無線リソース割り当てプロセスは、また、スケジューリングプロセスとも称される。スケジューリングは、アップリンクスケジューリング及びダウンリンクスケジューリングを含んでもよい。アップリンクスケジューリングは、端末にアップリンクリソースを割り当てるのに使用され、それによって、その端末は、そのアップリンクリソースによってデータを送信する。ダウンリンクスケジューリングは、端末にダウンリンクリソースを割り当てるのに使用され、それによって、基地局は、そのダウンリンクリソースを使用して、その端末にデータを送信する。
【０００３】
アップリンクスケジューリングは、スケジューリング要求(scheduling  request,  SR)又はバッファ状態報告(Buffer  Status  Report,  BSR)によってトリガされてもよい。すなわち、端末が、アップリンクデータを送信する必要がある場合に、その端末は、SR又はBSRを報告することによって、その端末にアップリンクリソースを割り当てるように基地局をトリガしてもよい。例えば、図1を参照すると、図1は、既存のアップリンクスケジューリングプロセスの概略的な図である。図1に示されているように、そのアップリンクスケジューリングプロセスにおいては、端末がアップリンクデータを送信する必要がある場合に、その端末は、基地局にSRを送信して、その端末がアップリンクデータを送信する必要があるということをその基地局に知らせ、その基地局は、そのSRを受信した後に、その端末にアップリンクグラント(UL  Grant)を配信する。そのアップリンクグラントは、その端末に割り当てられているリソースを示す。そのアップリンクグラントを受信した後に、その端末は、そのアップリンクグラントが示すリソースを使用することによって、BSRを送信して、その端末が送信しようとしているアップリンクデータの量をその基地局に知らせ、それによって、その基地局は、そのBSRに基づいて、その端末により多くのアップリンクリソースを割り当て、そして、アップリンクグラントを配信する。この手法によって、その端末は、アップリンクグラントが示すリソースを使用することによって、アップリンクデータを継続して伝送することが可能である。加えて、BSRを送信している間にも、また、アップリンクデータを送信してもよい。
【０００４】
端末のサービングセルが変化する(例えば、ハンドオーバーが生起する)場合、又は、端末がいくつかの理由によりそのサービングセルにアクセスしなおす場合に、その端末は、また、SR又はBSRを送信することによって、アップリンクスケジューリングをトリガする。例えば、ソースセルからターゲットセルにハンドオーバーされる場合に、その端末は、ターゲットセルにおいてSRを報告するか、或いは、そのハンドオーバーを完了した際にBSRを送信し、それにより、アップリンクスケジューリングをトリガする。
【０００５】
従来技術においては、端末は、その端末についてのハンドオーバーが完了した後にのみ、アップリンクスケジューリングをトリガすることが可能であるということを理解することが可能である。セルハンドオーバーのためには、比較的長い時間が必要となる。結果として、その端末のアップリンクデータ送信遅延は、比較的長くなり、それにより、ユーザイクスペアリアンスに影響を与える。特に、(音声サービス等の)比較的高い遅延要件を有するサービスについては、そのような遅延は、いっそう受け入れ難いものとなる。
【発明の概要】
【０００６】
本発明の複数の実施形態は、スケジューリング方法及び基地局を提供して、セルハンドオーバーによって引き起こされるアップリンク送信遅延を低減する。
【０００７】
第1の態様によれば、この出願は、スケジューリング方法であって、当該方法は、ターゲットセルへと端末をハンドオーバーさせるプロセスに適用され、当該方法は、前記端末が送信したランダムアクセス要求を、ターゲット基地局によって受信するステップと、前記ランダムアクセス要求にしたがって、前記端末に、ランダムアクセス応答を送信するステップと、前記ランダムアクセス応答を送信した後であって、かつ、ハンドオーバー完了コマンドを受信する前に、前記端末に、アップリンクグラントを事前に送信するステップと、を含む、方法を提供する。そのターゲット基地局は、ターゲットセルにサービスを提供する基地局である。アップリンクグラントを事前に送信することによって、そのターゲット基地局は、セルハンドオーバーが完了する前に、UEのためのアップリンクスケジューリングを実行して、そのセルハンドオーバーによって引き起こされるアップリンク送信遅延を低減することが可能である。
【０００８】
第1の態様の第1の実装において、端末が送信したハンドオーバー完了コマンドを受信した場合に、そのターゲット基地局は、その端末へのアップリンクグラントの事前の送信を停止する。ハンドオーバー完了コマンドに基づいて、アップリンクグラントの事前の送信を停止することによって、事前の許可によって過剰なアップリンクリソースを割り当てることが原因となって引き起こされるリソースの浪費を低減し、ハンドオーバーが成功した後は、既存のスケジューリング方式にしたがって、端末にアップリンクリソースを割り当てるということを保証することが可能である。
【０００９】
第1の態様の第2の実装において、前記ターゲット基地局によって前記端末に、アップリンクグラントを事前に送信する前記ステップは、具体的には、前記ターゲット基地局によって前記端末に、あらかじめ設定された時間期間の中で複数のアップリンクグラントを送信するステップ、及び、前記あらかじめ設定された時間期間が終了した後に、前記端末への前記アップリンクグラントの事前の送信を停止するステップである。
【００１０】
第1の態様の第3の実装において、アップリンクグラントの事前の送信を開始した後に、そのターゲット基地局は、その端末が送信したBSR又はSRを受信し、そして、そのBSR又はそのSRに基づいて、その端末へのアップリンクグラントの事前の送信を停止する。そのBSR又はそのSRに基づいて、アップリンクグラントの事前の送信を停止することによって、事前の許可によって過剰なアップリンクリソースを割り当てることが原因となって引き起こされるリソースの浪費を低減する。加えて、BSR又はSRは、端末がアップリンクデータを送信する必要がある場合に送信され、したがって、さらに、事前のアップリンクグラントの送信の停止に起因して、過剰な少数のリソースを割り当てるために、端末の要件を満足することができなくなるという状況を回避する。
【００１１】
第1の態様の第4の実装において、端末へのアップリンクグラントの事前の送信の前に、ターゲット基地局は、さらに、端末が音声サービスを現在有しているか否かを決定してもよく、その端末が音声サービスを現在有している場合にのみ、そのターゲット基地局は、その端末にアップリンクグラントを事前に送信する。音声サービスが現在存在しているか否かを決定すると、遅延要件が高くはない複数のサービスのために事前の許可を使用することが原因となって引き起こされるアップリンクリソースの浪費を低減することが可能である。
【００１２】
第1の態様の第5の実装において、前記ターゲット基地局によって前記端末に、アップリンクグラントを事前に送信する前記ステップは、前記ランダムアクセス応答を送信した後に、前記ターゲット基地局によって、前記端末の前記バッファ状態報告BSRのサイズを増加させるステップと、前記BSRの増加させたサイズに基づいて、前記端末にアップリンクリソースを割り当てるステップと、前記アップリンクリソースを示すのに使用されるアップリンクグラントを、前記端末に事前に送信するステップと、を含む。
【００１３】
第5の実装に基づいて、選択的に、前記ターゲット基地局によって、前記端末の前記BSRのサイズを増加させる前記ステップは、具体的には、前記ターゲット基地局によって、前記端末の現在のサービス属性に基づいて、前記端末の前記BSRの前記サイズを増加させるステップ、又は、前記ターゲット基地局によって、あらかじめ設定されたサイズに基づいて、前記BSRの前記サイズを増加させるステップ、である。サービス属性に基づいて、BSRのサイズを増加させる方法によれば、アップリンクリソースの利用を改善することが可能であり、過剰なアップリンクリソースを割り当てることが原因となって引き起こされるリソースの浪費を低減することが可能であり、そして、さらに、過剰な少数のリソースを割り当てるために、端末の要件を満足することができなくなるという状況を回避することが可能である。
【００１４】
第1の態様の第6の実装において、前記ターゲット基地局によって前記端末に、アップリンクグラントを事前に送信する前記ステップは、具体的には、前記ターゲット基地局によって前記端末に、あらかじめ設定されたサイズのアップリンクグラントを周期的にかつ事前に送信するステップである。
【００１５】
第1の態様の第6の実装において、前記ランダムアクセス応答を送信した後であって、かつ、ハンドオーバー完了コマンドを受信する前に、前記ターゲット基地局によって前記端末に、アップリンクグラントを事前に送信する前記ステップは、前記ターゲット基地局によって、前記ランダムアクセス応答を送信した後のN番目のTTIから、前記端末への前記アップリンクグラントの送信を開始するステップを含み、Nは、3以上であって10以下の正の整数である。
【００１６】
第6の実装に基づいて、選択的に、ターゲット基地局は、ランダムアクセス応答を送信した後のN番目の送信時間間隔TTIから、端末への複数のアップリンクグラントの送信を開始する。
【００１７】
第2の態様によれば、この出願は、基地局を提供し、その基地局は、第1の態様及び第1の態様の複数の実装のうちのいずれか1つにしたがって提供される方法を実行するための複数の機能モジュール又は手段を含む。
【００１８】
第3の態様によれば、この出願は、基地局を提供し、その基地局は、プロセッサ及びメモリを含み、そのメモリは、プログラムを格納するように構成され、そのプロセッサは、そのメモリに格納されているプログラムを呼び出して、この出願の第1の態様にしたがって提供される方法を実行する。
【００１９】
上記の複数の態様において、ターゲット基地局は、ランダムアクセス応答を送信した後であって、かつ、ハンドオーバー完了コマンドを受信する前に、端末にアップリンクグラントを事前に送信する。アップリンクグラントを事前に送信することによって、ターゲット基地局は、セルハンドオーバーが完了する前に、UEのためのアップリンクスケジューリングを実行して、そのセルハンドオーバーが引き起こすアップリンク送信遅延を低減することが可能である。
【図面の簡単な説明】
【００２０】
本発明の複数の実施形態にしたがった又は従来技術にしたがった複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示し、当業者は、創造的な努力を行うことなく、これらの複数の添付の図面から他の図面を導き出すことが可能である。
【００２１】
【図１】既存のアップリンクスケジューリングプロセスの概略的な図である。
【図２】既存のセルハンドオーバープロセスにしたがったアップリンクスケジューリングの概略的な図である。
【図３】図2に示されているアップリンクスケジューリングプロセスの時間シーケンス図である。
【図４】本発明のある1つの実施形態にしたがったセルハンドオーバープロセスにおけるアップリンクスケジューリングの概略的な図である。
【図５】本発明のある1つの実施形態にしたがったスケジューリング方法のフローチャートである。
【図６】本発明のある1つの実施形態にしたがったアップリンクスケジューリングプロセスの時間シーケンス図である。
【図７】本発明のある1つの実施形態にしたがった基地局の概略的な構成図である。
【図８】本発明のある1つの実施形態にしたがった他の基地局の概略的な構成図である。
【発明を実施するための形態】
【００２２】
本発明の複数の実施形態の目的、技術的解決方法、及び利点をより明確にするために、以下の記載は、本発明の複数の実施形態にしたがった複数の添付の図面を参照して、本発明の複数の実施形態にしたがった複数の技術的解決方法をより明確に説明する。明らかなことではあるが、それらの説明される実施形態は、本発明の実施形態のすべてではなく一部である。創造的な努力を行うことなく本発明の複数の実施形態に基づいて当業者が得ることが可能であるすべての他の実施形態は、本発明の保護範囲に属するものとする。
【００２３】
以下の記載では、当業者による理解を容易にするために、この出願におけるいくつかの用語を説明する。
【００２４】
(1)  ユーザ機器とも称される端末(User  Equipment,  UE)は、無線接続機能を有するハンドヘルドデバイス又は車載型デバイス等の音声及び/又はデータ接続性をユーザに提供するデバイスである。例えば、一般的な端末は、携帯電話、タブレットコンピュータ、ノートブックコンピュータ、パームトップコンピュータ、モバイルインターネットデバイス(mobile  internet  device,  MID)、或いは、スマート時計、スマートバンド、又は歩数計等のウェアラブルデバイスを含む。
【００２５】
(2)  無線アクセスネットワーク(Radio  Access  Network,  RAN)デバイスは、無線ネットワークに端末を接続するとともに、基地局とも称されるデバイスである。無線アクセスネットワークデバイスは、進化型NodeB(evolved  Node  B,  eNB)、無線ネットワークコントローラ(radio  network  controller,  RNC)、NodeB(Node  B,  NB)、基地局コントローラ(Base  Station  Controller,  BSC)、基地局装置(Base  Transceiver  Station,  BTS)、ホーム進化型NodeB又はホームNodeB(例えば、Home  evolved  NodeB,  又はHome  Node  B,  HNB)、或いは、ベースバンドユニット(Baseband  Unit,  BBU)を含むが、これらには限定されない。加えて、無線アクセスネットワークデバイスは、ワイヤレスフィデリティ(Wireless-Fidelity,  Wifi)アクセスポイント(Access  Point,  AP)等を含んでもよい。
【００２６】
(3)  "複数の"は、2又はそれ以上を意味する。"及び/又は"は、複数の関連する対象の関連性関係を記載し、3つの関係が存在してもよいということを表す。例えば、A及び/又はBは、Aのみが存在する、A及びBの双方が存在する、そして、Bのみが存在する、の3つの場合を表してもよい。文字"/"は、一般的に、その文字の前及び後の複数の関連する対象の間の"又は"の関係を示す。
【００２７】
図2を参照すると、図2は、既存のセルハンドオーバープロセスにおけるアップリンクスケジューリングの概略的な図である。図2に示されているように、ソースセルからターゲットセルに端末をハンドオーバーする必要がある場合に、ソースセルにサービスを提供する(以下では、ソース基地局と称される)基地局は、端末にハンドオーバコマンド(Handover  Command,  略称HO-CMD)を送信する。ハンドオーバコマンドを受信した後に、その端末は、ターゲットセルにサービスを提供する(以下では、ターゲット基地局と称される)基地局にランダムアクセス要求を送信する。ターゲット基地局は、ランダムアクセス要求にしたがって、端末にランダムアクセス応答(Random  Access  Response,  RAR)を送信する。その後、端末は、ターゲット基地局にハンドオーバー完了コマンド(Handover  Complete  Command,  HO-CMP)を送信する。ハンドオーバー完了コマンドは、バッファ状態報告(Buffer  Status  Report,  BSR)を搬送してもよい。ハンドオーバー完了コマンドを受信した後に、ターゲット基地局は、ハンドオーバー完了コマンドの中で搬送されるBSRを発見し、その端末がアップリンクデータを送信する必要があるということを知り、したがって、そのターゲット基地局は、BSRに基づいて端末にアップリンクリソースを割り当て、端末に割り当てられたアップリンクリソースを示すアップリンクグラントを端末に送信する。続いて、その端末は、アップリンクグラントが示すアップリンクリソースを使用して、そのターゲット基地局にアップリンクデータを送信することが可能である。
【００２８】
端末は、その端末についてのハンドオーバーが完了した後にのみ、アップリンクスケジューリングをトリガすることが可能であるということを理解することが可能である。セルハンドオーバーのためには、比較的長い時間が必要となる。結果として、その端末のある特定のアップリンクデータ送信遅延を引き起こし、それにより、ユーザイクスペアリアンスに影響を与える。特に、音声サービス等の遅延の影響を受けやすいサービスについては、そのような遅延は、いっそう受け入れ難いものとなる。
【００２９】
図3を参照すると、図3は、図2に示されているアップリンクスケジューリングプロセスの時間シーケンス図である。図3においては、1つの例として、ロングタームエボリューション(Long  Term  Evolution,  LTE)システムを使用する。図3に示されているように、1番目の行は、時間を表し、単位は、送信時間間隔(Transmission  Time  Interval,  TTI)であり、2番目の行は、ターゲット基地局の動作を表し、そして、3番目の行は、端末の動作を表す。ターゲット基地局は、TTI0において、端末にランダムアクセス応答を送信し、その端末は、TTI6において、ターゲット基地局にハンドオーバー完了コマンドを送信し、そのターゲット基地局は、TTI9において、ハンドオーバー完了コマンドを受信し、そして、TTI10から、アップリンクグラントの送信を開始すると仮定する。端末が送信するべき比較的大きな量のデータが存在する場合に、基地局は、例えば、TTI10乃至13のすべてにおいてアップリンクグラントを送信するといったように、複数回にわたって、端末にアップリンクグラントを送信してもよい。ターゲット基地局がハンドオーバー完了コマンドを受信する時間は、固定されていないが、TTI8、TTI9、又はTTI10であってもよいということに留意すべきである。それに応じて、ターゲット基地局がハンドオーバー完了コマンドを受信する時間が、TTI8である場合に、ターゲット基地局が端末へのアップリンクグラントの送信を開始する時間は、TTI9であってもよいか、又は、ターゲット基地局がハンドオーバー完了コマンドを受信する時間がTTI10である場合には、そのターゲット基地局は、TTI11において端末へのアップリンクグラントの送信を開始してもよい。ランダムアクセス応答を送信することからアップリンクグラントの送信を開始するまで、そのターゲット基地局は、少なくとも8乃至10つのTTIを必要とするということを、上記の時間シーケンスの関係から理解することが可能である。したがって、音声サービス等の遅延の影響を受けやすいサービスについては、ユーザイクスペアリアンスは深刻な影響を被る。
【００３０】
アップリンクデータ送信遅延を低減するために、本発明のある1つの実施形態は、スケジューリング方法を提供する。セルハンドオーバープロセスにおいては、ランダムアクセス応答を送信した後であって、かつ、ハンドオーバー完了コマンドを受信する前に、ターゲット基地局は、端末にアップリンクグラントを事前に送信する。アップリンクグラントを事前に送信することによって、そのターゲット基地局は、セルハンドオーバーが完了する前に、UEのためのアップリンクスケジューリングを実行して、セルハンドオーバーによって引き起こされる遅延を低減することが可能である。以下の記載では、複数の具体的な実施形態を使用することによって、本発明にしたがった方法を詳細に説明する。
【００３１】
加えて、上記のハンドオーバーがセル間ハンドオーバーである場合に、ソースセル及びターゲットセルは、異なるセルであるが、ソースセル及びターゲットセルは、同じ基地局によってサービスを提供されていてもよく、或いは、複数の異なる基地局によってサービス提供されてもよいということに留意すべきである。言い換えると、ソース基地局及びターゲット基地局は、同じ基地局であってもよく、或いは、異なる基地局であってもよい。上記のハンドオーバーがセル内のハンドオーバーである場合には、ソースセル及びターゲットセルは、同じセルであってもよく、そして、ターゲット基地局は、ソース基地局でもある。
【００３２】
図4を参照すると、図4は、本発明のある1つの実施形態にしたがったセルハンドオーバープロセスにおけるアップリンクスケジューリングの概略的な図である。図4に示されているように、図4と図2との間の相違点は、ランダムアクセス応答を送信した後であって、かつ、ハンドオーバー完了コマンドを受信する前に、ターゲット基地局が、端末にアップリンクグラントを事前に送信するということにある。加えて、ターゲット基地局は、複数回にわたって、複数のアップリンクグラントを連続的に送信してもよく、或いは、1回のみ、アップリンクグラントを送信してもよい。
【００３３】
図5は、本発明のある1つの実施形態にしたがったスケジューリング方法のフローチャートである。その方法は、ターゲットセルへと端末をハンドオーバーさせるプロセスに適用される。図5に示されているように、この実施形態にしたがった方法は、以下のステップを含んでもよい。
【００３４】
ステップ101:  ターゲットセルにサービスを提供するターゲット基地局は、端末が送信したランダムアクセス要求を受信する。
【００３５】
ステップ102:  ターゲット基地局は、ランダムアクセス要求にしたがって、端末にランダムアクセス応答を送信する。
【００３６】
ステップ103:  ターゲット基地局は、ランダムアクセス応答を送信した後であって、かつ、ハンドオーバー完了コマンドを受信する前に、端末にアップリンクグラントを事前に送信する。
【００３７】
ステップ103において、ターゲット基地局は、ランダムアクセス応答を送信した後であって、かつ、ハンドオーバー完了コマンドを受信する前に、その端末にアップリンクグラントを事前に送信する。
【００３８】
本明細書においては、事前の送信は、ターゲット基地局が、端末が送信するSR又はBSRを受信していないときに、そのターゲット基地局が、端末にアップリンクグラントを送信するということを意味する。既存のアップリンクスケジューリング手順は、セルハンドオーバーが完了した後であって、端末がアップリンクデータを送信する必要がある場合に、その端末は、ターゲット基地局に送信されるハンドオーバー完了コマンドにBSRを追加し、そして、ハンドオーバー完了コマンドを受信した後に、そのターゲット基地局が、そのBSRに基づいて、端末にリソースを割り当て、アップリンクグラントを配信する、という手順である。代替的に、ターゲット基地局が、端末が送信したハンドオーバー完了コマンドを受信した後に、その端末は、そのターゲット基地局にSRを送信する。通常は、SRは、その端末がデータを送信する必要があるということのみをターゲット基地局に知らせるのに使用されるが、一方で、その端末が送信する必要があるデータの特定の量をそのターゲット基地局に知らせるのには使用されない。そのターゲット基地局は、そのSRに基づいて、その端末にリソースを割り当て、そして、アップリンクグラントを配信する。この場合には、ターゲット基地局は、端末が必要とするアップリンクリソースの特定の量を知らないので、そのターゲット基地局は、BSRを送信するのに使用されるアップリンクリソースのみをその端末に割り当ててもよく、そして、その端末は、許可されたそのアップリンクリソースによってそのBSRを送信する。そのBSRは、端末が送信することを必要とするデータの量を搬送し、そのターゲット基地局は、そのBSRに基づいて、その端末に許可を提供する。そのアップリンクグラントを取得した後に、その端末が、さらに続けてデータを送信する必要がある場合には、その端末は、代替的に、アップリンクサブフレームにそのBSRを追加してもよい。そのターゲット基地局は、そのBSRに基づいて、その端末に継続して許可を提供する。もちろん、そのターゲット基地局は、代替的に、そのSRを受信した後に、その端末にあらかじめ設定されたサイズのリソースを割り当ててもよく、その端末は、そのリソースを使用して、そのBSRを送信し、加えて、そのリソースの残りの部分を使用して、アップリンクデータを送信する。この実施形態の上記の解決方法においては、端末が、ターゲット基地局にまだハンドオーバーされてはいないときに、その端末は、そのターゲット基地局にSR又はBSRを送信することは不可能である。この場合に、その端末は、データを送信する必要がある場合がある。その端末のデータを時間内に確実に送信できるようにするために、そのターゲット基地局が、SR又はBSRを受信しない場合であっても、そのターゲット基地局は、その端末にアップリンクグラントを送信する。
【００３９】
ターゲット基地局は、ランダムアクセス応答を送信した後であって、かつ、ハンドオーバー完了コマンドを受信する前のいずれかの時間において、アップリンクグラントを送信してもよい。ユニバーサル移動体通信システム(Universal  Mobile  Telecommunications  System,  UMTS)又はLTEシステム等の既存のネットワークシステムにおいては、TTIは、通常、(例えば、スケジューリング等の)無線リソース管理にしたがって管理される基本的な時間単位として使用され、1つのTTIは、1ミリ秒(ms)、すなわち、サブフレームの長さである。もちろん、技術の進歩に伴って、TTIの長さは、例えば、0.5[ms]等の他の値であってもよい。このことは、本発明を限定するのには使用されない。ターゲット基地局は、ランダムアクセス応答を送信した後のN番目のTTIから、端末へのアップリンクグラントの事前の送信を開始してもよい。Nは、3以上であって10以下の正の整数である。ターゲット基地局がハンドオーバー完了コマンドを受信する時間が、TTI8である場合には、Nの最大値は、8であり、ターゲット基地局がハンドオーバー完了コマンドを受信する時間が、TTI9である場合には、Nの最大値は、9であり、或いは、ターゲット基地局がハンドオーバー完了コマンドを受信する時間が、TTI10である場合には、Nの最大値は、10である。
【００４０】
この実施形態においては、ターゲット基地局が事前に送信するアップリンクグラントの数は、制限されない。そのターゲット基地局は、ランダムアクセス応答を送信した後のN番目のTTIから、1つのアップリンクグラント又は複数のアップリンクグラントの送信を開始してもよい。複数のアップリンクグラントの送信の間に、連続的に又は非連続的に、それらの複数のアップリンクグラントを送信してもよい。すなわち、そのターゲット基地局は、ランダムアクセス応答を送信した後のN番目のTTIから、それらのアップリンクグラントの連続的な送信を開始してもよく、或いは、ランダムアクセス応答を送信した後のN番目TTIから、それらのアップリンクグラントの非連続的な送信を開始してもよい。例えば、そのターゲット基地局は、1つのTTIごとに1つのアップリンクグラントを送信するか、或いは、2つのTTIごとに1つのアップリンクグラントを送信する。Nの値は、あらかじめ設定されていてもよく、或いは、あらかじめ設定された規則にしたがって、ターゲット基地局がリアルタイムで決定してもよい。端末の複数の異なるサービスについて、Nの値は、同じであってもよく、或いは、異なっていてもよい。Nの値は、サービスの遅延感受性に基づいて決定されてもよい。遅延の影響を受けやすいサービスのNの値は、遅延の影響を受けやすくはないサービスのNの値よりも小さくてもよい。例えば、遅延の影響を受けやすいサービスの場合には、Nの値は、3であり、遅延の影響を受けやすくはないサービスの場合には、Nの値は、6であってもよい。
【００４１】
Nの値が3である場合には、ターゲット基地局は、ランダムアクセス応答を送信した後の3番目のTTIから、端末へのアップリンクグラントの事前の送信を開始する。図6は、本発明のある1つの実施形態にしたがったアップリンクスケジューリングプロセスの時間シーケンス図である。図6に示されているように、ターゲット基地局は、TTI0においてランダムアクセス応答を送信し、そのターゲット基地局は、TTI3から、アップリンクグラントの送信を開始し、端末は、TTI6において、そのターゲット基地局にハンドオーバー完了コマンドを送信し、そして、そのターゲット基地局は、TTI9において、そのハンドオーバー完了コマンドを受信すると仮定する。上記の実施形態にしたがったメカニズムによれば、ターゲット基地局は、TTI3から、アップリンクグラントの送信を開始し、その端末は、4つのTTIの間隔で、物理アップリンク共有チャネル(Physical  Uplink  Shared  Channel,  PUSCH)の送信の実行を開始する、すなわち、その端末は、TTI7から、PUSCHの送信の実行を開始する。図2と図6とを比較することにより、この実施形態にしたがった方法においては、ターゲット基地局は、TTI3からアップリンクグラントの送信を開始する。ターゲット基地局が、早くてもTTI10においてアップリンクグラントの送信を開始することが可能である従来技術と比較すると、9つのTTIから3つのTTIへと遅延が減少する、すなわち、遅延は、6つのTTIだけ減少する。
【００４２】
ターゲット基地局が、端末にアップリンクグラントを事前に送信する複数の実装が存在してもよい。例えば、ターゲット基地局は、端末に、あらかじめ設定されたサイズのアップリンクグラントを周期的にかつ事前に送信し、他の例では、ターゲット基地局は、端末のBSRのサイズを事前に増加させ、そのBSRの増加させたサイズに基づいて、アップリンクグラントをトリガする。そのBSRのサイズは、基地局及び端末において、バッファサイズの値(Buffer  Size  BS  value)として保持される。端末は、その端末のBSRのサイズに基づいて、基地局にインデックス(Index)を報告する。そのインデックスは、BSRのサイズを示すのに使用される。そのインデックスを受信した後に、その基地局は、その基地局が保持しているBSRのサイズを更新し、そのBSRの更新されたサイズに基づいて、その端末にアップリンクリソースを割り当て、そして、許可を配信する。この出願のこの実施形態においては、ターゲット基地局は、独自にBSRのサイズを増加させ、その端末のためのアップリンクリソース割り当てをトリガし、そして、許可を配信する。BSRのサイズを増加させる過程において、そのBSRのサイズは、自動的にかつ周期的に増加されてもよく、あらかじめ設定されたサイズに基づいて、一度に増加されてもよく、或いは、その端末のサービス属性に基づいて、増加されてもよい。例えば、端末の現在のサービスが音声サービスである場合には、音声パケットサイズを推定してもよく、その音声パケットサイズに基づいて、そのBSRのサイズを事前に増加させてもよい。
【００４３】
サービス属性に基づいてBSRのサイズを増加させる方法によれば、アップリンクリソースの利用を改善することが可能であり、過剰なアップリンクリソースを割り当てることが原因となって引き起こされるリソースの浪費を低減することが可能であり、そして、さらに、過剰な少数のアップリンクリソースを割り当てるために、端末の要件を満足することができなくなるという状況を回避することが可能である。
【００４４】
上記の方法においては、ターゲット基地局は、端末の現在のサービス属性に基づいて、送信されるべきアップリンクグラントの数を決定する。例えば、サービス属性は、遅延属性である。遅延の影響を受けやすいサービスの場合には、遅延を最小にするために、ターゲット基地局は、アップリンクリソースのうちのいくつかを浪費することを代償に、その遅延を保証することを選択してもよく、したがって、Mの値は、比較的大きく、それに応じて、ターゲット基地局が割り当てるアップリンクグラントの数Lの値も、また、大きい。遅延の影響を受けやすくはないサービスの場合には、アップリンクリソースの浪費を避けるために、Mの値は、比較的小さく、それに応じて、ターゲット基地局が割り当てるアップリンクグラントの数Lの値も、また、小さい。代替的に、サービス属性は、サービスデータタイプであってもよく、サービスデータタイプは、テキスト、画像、動画、及び音声等のタイプを含む。動画サービス及び音声サービスの場合には、ユーザイクスペアリアンスを改善するために、M及びLの値は、比較的大きい。テキスト又は画像の場合には、アップリンクリソースの浪費を避けるために、M及びLの値は、比較的小さい。上記のことは、説明のための例であるにすぎず、サービス属性は、遅延属性及びデータタイプに限定されず、さらに、他の属性であってもよい。
【００４５】
この実施形態においては、ターゲット基地局は、ハンドオーバー完了コマンドを受信する前に、アップリンクグラントを事前に送信し、さらに、ハンドオーバー完了コマンドを受信した後に、既存のアップリンクスケジューリング方式にしたがってスケジューリングを実行する。
ターゲット基地局は、以下の場合に、アップリンクグラントの事前の送信を停止してもよい。
【００４６】
(1)  ターゲット基地局は、端末が送信するハンドオーバー完了コマンドを受信し、そのハンドオーバー完了コマンドに基づいて、その端末へのアップリンクグラントの事前の送信を停止する。
【００４７】
(2)  ターゲット基地局は、予め設定された時間期間の中で、端末に複数のアップリンクグラントを送信し、その時間期間が終了した後に、そのターゲット基地局は、端末へのアップリンクグラントの事前の送信を停止する。あらかじめ設定された時間期間は、複数のTTIであってもよく、それらの複数のTTIの中で、そのターゲット基地局は、端末にそれらの複数のアップリンクグラントを事前に送信し、そして、それらの複数のTTIが終了する場合に、そのターゲット基地局は、端末へのアップリンクグラントの事前の送信を停止する。
【００４８】
(3)  ターゲット基地局は、端末が送信したBSR又はSRを受信し、そして、そのBSR又はSRに基づいて、その端末へのアップリンクグラントの事前の送信を停止する。端末がターゲット基地局にSRを送信することは、その端末がターゲットセルにハンドオーバーされており、データを送信する必要があるということを示す。この場合には、既存のアップリンクスケジューリング方式に基づいて、スケジューリングを実行してもよい。したがって、ターゲット基地局は、端末へのアップリンクグラントの事前の送信を停止する。代替的に、端末は、ハンドオーバー完了コマンドにBSRを追加し、ターゲット基地局は、ハンドオーバー完了コマンドの中で搬送されるBSRに基づいて、その端末へのアップリンクグラントの事前の送信を停止する。代替的に、ターゲット基地局がアップリンクグラントを事前に送信した後に、その端末は、許可されたアップリンクリソースによって、BSRを送信し、そのターゲット基地局は、そのBSRに基づいて、端末へのアップリンクグラントの事前の送信を停止する。
【００４９】
音声サービス、動画サービス、及びテキストサービス等の様々なサービスに、この実施形態にしたがった方法を適用することが可能である。音声サービスは、遅延の影響を受けやすいサービスであり、セルハンドオーバーによって引き起こされる遅延は、端末のアップリンク音声パケットのブロッキングを引き起こす。結果として、特定のパケットの遅延を引き起し、通話品質が一時的に低下し、音声のユーザイクスペアリアンスに影響を与える。選択的に、ステップ103の前に、ターゲット基地局は、さらに、端末が音声サービスを現在有しているか否かを決定してもよく、その端末が音声サービスを現在有している場合には、そのターゲット基地局は、ランダムアクセス応答を送信した後であって、かつ、ハンドオーバー完了コマンドを受信する前に、その端末にアップリンクグラントを事前に送信する。その端末が音声サービスを現在有していない場合には、そのターゲット基地局は、その端末がターゲットセルにハンドオーバーされた後に、その端末のためのスケジューリングの実行を開始する。
【００５０】
この実施形態にしたがった音声サービスは、サービスのタイプの総称であるということに留意すべきである。サービスのタイプは、同じサービス品質(quality  of  service,  略称QoS)要件を有し、QoSクラス識別子(QoS  Class  Identifier,  略称QCI)を使用することによって、QoS要件を表してもよい。ターゲット基地局は、QCIに基づいて、端末が、送信されるべき音声サービスを現在有しているか否かを決定してもよい。例えば、QCI1、QCI2、及びQCI5は、すべて音声と関連するQCIである。QCI1は、音声サービスを運び、QCI2は、動画サービスを運び、そして、QCI5は、音声サービスを確立し又は解放するのに使用されるセッション開始プロトコル(Session  Initiation  Protocol,  略称SIP)シグナリング等の音声サービスのSIPシグナリングを運ぶ。音声サービスが確立されつつあるときに、QCI5を使用することによって、コアネットワークデバイスにそのSIPシグナリングを送信し、それによって、QCI1ベアラを確立して、音声サービスを確立するように、そのコアネットワークデバイスをトリガし、或いは、テレビ電話サービスを実装するのにQCI1ベアラ又はQCI2ベアラを確立することを必要とする。音声サービスが終了する場合には、対応するSIPシグナリングは、QCI5によって送信されて、QCI1を解放して音声サービスを終了させるようにCN装置をトリガするか、或いは、テレビ電話サービスの場合には、QCI1及びQCI2を解放するようにCNデバイスをトリガし、これにより、通話が終了したと判断される。したがって、ターゲット基地局によって、端末が音声サービスを実行しているか否かを決定する際に、音声サービスが開始し及び終了するか否かは、QCI5によって送信されるSIPシグナリングを使用することによって決定されてもよく、或いは、QCI1ベアラを使用することによって決定されてもよい。
【００５１】
この実施形態においては、セルハンドオーバープロセスにおいて、ターゲットセルにサービスを提供するターゲット基地局は、端末が送信するランダムアクセス要求を受信し、そのランダムアクセス要求にしたがって、端末にランダムアクセス応答を送信し、そして、ランダムアクセス応答を送信した後であって、かつ、ハンドオーバー完了コマンドを受信する前に、その端末にアップリンクグラントを事前に送信する。アップリンクグラントを事前に送信することによって、そのターゲット基地局は、セルハンドオーバーが完了する前に、UEのためのアップリンクスケジューリングを実行して、そのセルハンドオーバーが引き起こすアップリンク送信遅延を低減することが可能である。
【００５２】
図7は、本発明のある1つの実施形態にしたがった基地局の概略的な構造図である。その基地局は、端末がハンドオーバーされるターゲットセルにサービスを提供するターゲット基地局である。図7に示されているように、その基地局は、受信モジュール11、送信モジュール12、及びスケジューリングモジュール13を含む。
【００５３】
受信モジュール11は、端末が送信したランダムアクセス要求を受信するように構成される。
【００５４】
送信モジュール12は、ランダムアクセス要求にしたがって、端末にランダムアクセス応答を送信するように構成される。
【００５５】
スケジューリングモジュール13は、送信モジュール12がランダムアクセス応答を送信した後であって、かつ、受信モジュール11がハンドオーバー完了コマンドを受信する前に、送信モジュール12によって、端末にアップリンクグラントを事前に送信するように構成される。
【００５６】
選択的に、スケジューリングモジュール13は、さらに、受信モジュール11が、端末が送信したハンドオーバー完了コマンドを受信した場合に、その端末へのアップリンクグラントの事前の送信を停止するように送信モジュール12を制御するように構成される。
【００５７】
選択的に、スケジューリングモジュール13は、特に、送信モジュール12によって、あらかじめ設定された時間期間の中で端末に複数のアップリンクグラントを送信し、そして、そのあらかじめ設定された時間期間が終了した後に、端末へのアップリンクグラントの事前の送信を停止するように送信モジュール12を制御する、ように構成される。
【００５８】
選択的に、受信モジュール11は、さらに、端末が送信したBSR又はSRを受信するように構成される。それに応じて、スケジューリングモジュール13は、さらに、BSR及びSRに基づいて、端末へのアップリンクグラントの事前の送信を停止するように送信モジュール12を制御するように構成される。
【００５９】
選択的に、基地局は、(図7には示されていない)決定モジュールをさらに含む。その決定モジュールは、端末が、音声サービスを現在有しているか否かを決定するように構成される。それに応じて、スケジューリングモジュール13は、特に、
端末が、音声サービスを現在有している場合に、送信モジュール12がランダムアクセス応答を送信した後であって、かつ、受信モジュール11がハンドオーバー完了コマンドを受信する前に、送信モジュール12によって、端末にアップリンクグラントを事前に送信するように構成される。
【００６０】
選択的に、スケジューリングモジュール13は、特に、以下の方式にしたがって、端末にアップリンクグラントを事前に送信する。
【００６１】
送信モジュール12がランダムアクセス応答を送信した後に、端末のBSRのサイズが増加させられ、BSRの増加させられたサイズに基づいて、端末にアップリンクリソースが割り当てられ、そして、アップリンクリソースを示すのに使用されるアップリンクグラントが、送信モジュール12によって端末に事前に送信される。選択的に、スケジューリングモジュールは、端末の現在のサービス属性に基づいて、端末のBSRのサイズを増加させるか、又は、あらかじめ設定されたサイズに基づいて、BSRの前記サイズを増加させる。
【００６２】
代替的に、あらかじめ設定されたサイズのアップリンクグラントは、端末に周期的にかつ事前に送信される。
【００６３】
代替的に、送信モジュール12がランダムアクセス応答を送信した後のN番目のTTIから、送信モジュール12によって、端末へのアップリンクグラントの送信を開始する。Nは、3以上であって10以下の正の整数である。選択的に、スケジューリングモジュールは、送信モジュール12によって、端末への複数のアップリンクグラントの送信を開始する。
【００６４】
図7に示されている基地局は、上記の方法の実施形態にしたがって提供される方法を実行するように構成されてもよい。具体的な実装及び技術的効果は、上記の実施形態にしたがって提供される方法の実装及び技術的効果と同様であり、本明細書においては、詳細は、繰り返しては説明されない。
【００６５】
基地局の複数のモジュールの上記の分割は、論理的機能分割にすぎず、実際の実装の際に、それらの複数のモジュールの一部又は全部を一体化して、1つの物理的エンティティとしてもよく、或いは、それらの複数のモジュールを物理的に分離してもよいということに留意すべきである。加えて、処理要素によってソフトウェアを呼び出すことによって、それらの複数のモジュールの全てを実装してもよく、或いは、ハードウェアによって、それらの複数のモジュールの全てを実装してもよく、或いは、処理要素によってソフトウェアを呼び出すことによって、いくつかのモジュールを実装してもよく、及び、ハードウェアによって、いくつかのモジュールを実装してもよい。例えば、スケジューリングモジュールは、独立して配置される処理要素であってもよく、或いは、実装のために、基地局のチップの中に一体化されてもよい。加えて、スケジューリングモジュールは、代替的に、プログラムコードの形態で、基地局のメモリに格納されていてもよく、基地局の処理要素によって呼び出されて、スケジューリングモジュールの上記の機能を実行する。他のモジュールの実装は、スケジューリングモジュールの実装と同様である。加えて、それらの複数のモジュールの全部又は一部を一体化してもよく、或いは、独立して実装してもよい。本明細書においては、処理要素は、信号処理能力を有する集積回路であってもよい。実装の際に、プロセッサ要素の中のハードウェアの集積論理回路を使用することによって、又は、ソフトウェア命令を使用することによって、上記の方法のステップ又は上記のモジュールを実装してもよい。
【００６６】
例えば、上記の方法を実施する1つ又は複数の特定用途向け集積回路(Application  Specific  Integrated  Circuit,  ASIC)、1つ又は複数のマイクロプロセッサ(digital  signal  processor,  DSP)、或いは、1つ又は複数のフィールドプログラマブルゲートアレイ(Field  Programmable  Gate  Array,  FPGA)等の1つ又は複数の集積回路として、上記のモジュールを構成してもよい。他の例では、処理要素によってプログラムコードを呼び出すことによって、上記の複数のモジュールのうちの1つを実装する場合には、その処理要素は、中央処理装置(Central  Processing  Unit,  CPU)等の汎用プロセッサ又はプログラムコードを呼び出すことが可能である他のプロセッサであってもよい。さらにもう1つの例では、それらのモジュールは、ともに一体化され、システムオンチップ(system-on-a-chip,  SOC)の形態で実装されてもよい。
【００６７】
図8は、本発明のある1つの実施形態にしたがった他の基地局の概略的な構造図である。図8に示されているように、この実施形態にしたがった基地局は、アンテナ110、無線周波数装置120、及び、ベースバンド装置130を含む。アンテナ110は、無線周波数装置120に接続されている。アップリンク方向においては、その無線周波数装置120は、アンテナ110を介して、端末が送信した情報を受信し、そして、処理のために、ベースバンド装置130に、端末が送信した情報を送信する。ダウンリンク方向においては、ベースバンド装置130は、端末に送信される情報を処理し、そして、無線周波数装置120に、処理された情報を送信する。端末に送信される情報を処理した後に、無線周波数装置120は、アンテナ110によって端末に、処理された情報を送信する。
【００６８】
ベースバンド装置130において、上記の実施形態にしたがって提供される方法を実装してもよい。ベースバンド装置130は、処理要素131及び記憶要素132を含む。例えば、ベースバンド装置130は、少なくとも1つのベースバンド処理基板を含んでもよい。そのベースバンド処理基板の上に、複数のチップを配置する。図8に示されているように、例えば、それらの複数のチップのうちの1つは、処理要素131であり、記憶要素132に接続されて、記憶要素132の中のプログラムを呼び出し、上記の方法の実施形態に示されている動作を実行する。ベースバンド装置130は、インターフェイス133をさらに含んでもよく、そのインターフェイス133は、無線周波数装置120との間で情報を交換するように構成される。例えば、そのインターフェイスは、一般公衆無線インターフェイス(common  public  radio  interface,  CPRI)である。
【００６９】
本明細書においては、処理要素は、1つのプロセッサであってもよく、或いは、複数の処理要素の総称であってもよい。例えば、処理要素は、CPU又はASICであってもよく、或いは、上記の方法を実装する1つ又は複数のマイクロプロセッサDSP又は1つ又は複数のフィールドプログラマブルゲートアレイFPGA等の1つ又は複数の集積回路として構成されてもよい。記憶要素は、1つのメモリであってもよく、或いは、複数の記憶要素の総称であってもよい。
【００７０】
最後に、上記の複数の実施形態は、本発明の複数の技術的解決方法を説明することを意図しているにすぎず、本発明を限定することを意図してはいないということに留意すべきである。上記の複数の実施形態を参照して、本発明を詳細に説明してきたが、当業者であれば、さらに、本発明の複数の実施形態のそれらの複数の技術的解決方法の範囲から離れることなく、上記の複数の実施形態にしたがって説明したそれらの複数の技術的解決方法に修正を行い、或いは、それらの複数の技術的特徴のうちの一部又は全部に等価な置換を行うことが可能であるということを、当業者は、理解するはずである。
【図１】
2019522933.tif 000003
【図２】
2019522933.tif 000004
【図３】
2019522933.tif 000005
【図４】
2019522933.tif 000006
【図５】
2019522933.tif 000007
【図６】
2019522933.tif 000008
【図７】
2019522933.tif 000009
【図８】
2019522933.tif 000010
【手続補正書】
【提出日】平成31年2月8日(2019.2.8)
【手続補正１】
【補正対象書類名】特許請求の範囲
【補正対象項目名】全文
【補正方法】変更
【補正の内容】
【特許請求の範囲】
【請求項１】
スケジューリング方法であって、当該方法は、ターゲットセルへと端末をハンドオーバーさせるプロセスに適用され、
前記端末が送信したランダムアクセス要求を、前記ターゲットセルにサービスを提供するターゲット基地局によって受信するステップと、
前記ランダムアクセス要求にしたがって、前記ターゲット基地局によって前記端末に、ランダムアクセス応答を送信するステップと、
前記ランダムアクセス応答を送信した後であって、かつ、ハンドオーバー完了コマンドを受信する前に、前記ターゲット基地局によって前記端末に、アップリンクグラントを事前に送信するステップと、を含む、
方法。
【請求項２】
当該方法は、
前記端末が送信した前記ハンドオーバー完了コマンドを受信した場合に、前記ターゲット基地局によって、前記端末への前記アップリンクグラントの事前の送信を停止するステップをさらに含む、請求項1に記載の方法。
【請求項３】
前記ターゲット基地局によって前記端末に、アップリンクグラントを事前に送信する前記ステップは、
前記ターゲット基地局によって前記端末に、あらかじめ設定された時間期間の中で複数のアップリンクグラントを送信するステップを含み、当該方法は、
前記あらかじめ設定された時間期間が終了した後に、前記ターゲット基地局によって、前記端末への前記アップリンクグラントの事前の送信を停止するステップをさらに含む、請求項1に記載の方法。
【請求項４】
当該方法は、
前記端末が送信したバッファ状態報告(BSR)又はスケジューリング要求(SR)を前記ターゲット基地局によって受信するステップと、
前記ターゲット基地局によって、前記BSR及び前記SRに基づいて、前記端末への前記アップリンクグラントの事前の送信を停止するステップと、をさらに含む、請求項1に記載の方法。
【請求項５】
前記ターゲット基地局によって前記端末に、アップリンクグラントを事前に送信する前記ステップの前に、当該方法は、
前記ターゲット基地局によって、前記端末が、音声サービスを現在有しているか否かを決定するステップをさらに含み、前記ターゲット基地局によって前記端末に、アップリンクグラントを事前に送信する前記ステップは、
前記端末が、音声サービスを現在有している場合に、前記ランダムアクセス応答を送信した後であって、かつ、前記ハンドオーバー完了コマンドを受信する前に、前記ターゲット基地局によって前記端末に、前記アップリンクグラントを事前に送信するステップを含む、請求項1乃至4のうちのいずれか1項に記載の方法。
【請求項６】
前記ターゲット基地局によって前記端末に、アップリンクグラントを事前に送信する前記ステップは、
前記ランダムアクセス応答を送信した後に、前記ターゲット基地局によって、前記端末の前記バッファ状態報告(BSR)のサイズを増加させるステップと、
前記ターゲット基地局によって、前記BSRの増加させたサイズに基づいて、前記端末にアップリンクリソースを割り当てるステップと、
前記アップリンクリソースを示すのに使用されるアップリンクグラントを、前記ターゲット基地局によって前記端末に事前に送信するステップと、を含む、請求項1乃至5のうちのいずれか1項に記載の方法。
【請求項７】
前記ターゲット基地局によって、前記端末の前記BSRのサイズを増加させる前記ステップは、
前記ターゲット基地局によって、前記端末の現在のサービス属性に基づいて、前記端末の前記BSRの前記サイズを増加させるステップ、又は、
前記ターゲット基地局によって、あらかじめ設定されたサイズに基づいて、前記BSRの前記サイズを増加させるステップ、を含む、請求項6に記載の方法。
【請求項８】
前記ターゲット基地局によって前記端末に、アップリンクグラントを事前に送信する前記ステップは、
前記ターゲット基地局によって前記端末に、あらかじめ設定されたサイズのアップリンクグラントを周期的にかつ事前に送信するステップを含む、請求項1乃至5のうちのいずれか1項に記載の方法。
【請求項９】
前記ランダムアクセス応答を送信した後であって、かつ、ハンドオーバー完了コマンドを受信する前に、前記ターゲット基地局によって前記端末に、アップリンクグラントを事前に送信する前記ステップは、
前記ターゲット基地局によって、前記ランダムアクセス応答を送信した後のN番目の送信時間間隔(TTI)から、前記端末への前記アップリンクグラントの送信を開始するステップを含み、Nは、3以上であって10以下の正の整数である、請求項1乃至8のうちのいずれか1項に記載の方法。
【請求項１０】
前記ターゲット基地局によって、前記ランダムアクセス応答を送信した後のN番目のTTIから、前記端末への前記アップリンクグラントの送信を開始する前記ステップは、
前記ターゲット基地局によって、前記ランダムアクセス応答を送信した後の前記N番目のTTIから、前記端末への複数のアップリンクグラントの送信を開始するステップを含む、請求項9に記載の方法。
【請求項１１】
Nの値は、3である、請求項9又は10に記載の方法。
【請求項１２】
基地局であって、当該基地局は、端末がハンドオーバーされるターゲットセルにサービスを提供するターゲット基地局であって、
前記端末が送信したランダムアクセス要求を受信するように構成される受信モジュールと、
前記ランダムアクセス要求にしたがって、前記端末にランダムアクセス応答を送信するように構成される送信モジュールと、
前記送信モジュールが前記ランダムアクセス応答を送信した後であって、かつ、前記受信モジュールがハンドオーバー完了コマンドを受信する前に、前記送信モジュールを使用することによって、前記端末にアップリンクグラントを事前に送信するように構成されるスケジューリングモジュールと、を含む、
基地局。
【請求項１３】
前記スケジューリングモジュールは、さらに、
前記受信モジュールが、前記端末が送信した前記ハンドオーバー完了コマンドを受信した場合に、前記端末への前記アップリンクグラントの事前の送信を停止するように前記送信モジュールを制御するように構成される、請求項12に記載の基地局。
【請求項１４】
前記スケジューリングモジュールは、
前記送信モジュールを使用することによって、あらかじめ設定された時間期間の中で前記端末に複数のアップリンクグラントを送信し、そして、前記あらかじめ設定された時間期間が終了した後に、前記端末への前記アップリンクグラントの事前の送信を停止するように前記送信モジュールを制御する、ように構成される、請求項12に記載の基地局。
【請求項１５】
前記受信モジュールは、さらに、前記端末が送信したバッファ状態報告(BSR)又はスケジューリング要求(SR)を受信するように構成され、
前記スケジューリングモジュールは、さらに、前記BSR及び前記SRに基づいて、前記端末への前記アップリンクグラントの事前の送信を停止するように前記送信モジュールを制御するように構成される、請求項12に記載の基地局。
【請求項１６】
前記端末が、音声サービスを現在有しているか否かを決定するように構成される決定モジュールをさらに含み、
前記スケジューリングモジュールは、
前記端末が、音声サービスを現在有している場合に、前記送信モジュールが前記ランダムアクセス応答を送信した後であって、かつ、前記受信モジュールが前記ハンドオーバー完了コマンドを受信する前に、前記送信モジュールを使用することによって、前記端末に前記アップリンクグラントを事前に送信するように構成される、請求項12乃至15のうちのいずれか1項に記載の基地局。
【請求項１７】
前記スケジューリングモジュールは、
前記送信モジュールが前記ランダムアクセス応答を送信した後に、前記端末の前記バッファ状態報告(BSR)のサイズを増加させ、
前記BSRの増加させたサイズに基づいて、前記端末にアップリンクリソースを割り当て、そして、
前記アップリンクリソースを示すのに使用されるアップリンクグラントを、前記送信モジュールを使用することによって前記端末に事前に送信する、ように構成される、請求項12乃至16のうちのいずれか1項に記載の基地局。
【請求項１８】
前記スケジューリングモジュールは、
前記端末の現在のサービス属性に基づいて、前記端末の前記BSRの前記サイズを増加させるか、又は、
あらかじめ設定されたサイズに基づいて、前記BSRの前記サイズを増加させる、ように構成される、請求項17に記載の基地局。
【請求項１９】
前記スケジューリングモジュールは、前記端末に、あらかじめ設定されたサイズのアップリンクグラントを周期的にかつ事前に送信するように構成される、請求項12乃至16のうちのいずれか1項に記載の基地局。
【請求項２０】
前記スケジューリングモジュールは、
前記送信モジュールが前記ランダムアクセス応答を送信した後のN番目の送信時間間隔TTIから、前記送信モジュールを使用することによって、前記端末への前記アップリンクグラントの送信を開始する、ように構成され、Nは、3以上であって10以下の正の整数である、請求項12乃至19のうちのいずれか1項に記載の基地局。
【請求項２１】
前記スケジューリングモジュールは、特に、
前記送信モジュールが前記ランダムアクセス応答を送信した後の前記N番目のTTIから、前記送信モジュールを使用することによって、前記端末への複数のアップリンクグラントの送信を開始するように構成される、請求項20に記載の基地局。
【請求項２２】
Nの値は、3である、請求項20又は21に記載の基地局。
【請求項２３】
プログラムを格納するように構成されるコンピュータ読み取り可能な記憶媒体であって、前記プログラムは、プロセッサによって呼び出されると、請求項1乃至11のうちのいずれか1項に記載の方法を実行するのに使用される、コンピュータ読み取り可能な記憶媒体。
【請求項２４】
コンピュータ実行可能な命令を含むコンピュータプログラムであって、前記コンピュータ実行可能な命令がターゲット基地局のプロセッサによって実行されると、前記コンピュータ実行可能な命令は、前記ターゲット基地局に、請求項1乃至11のうちのいずれか1項に記載の方法を実行させる、コンピュータプログラム。
【手続補正２】
【補正対象書類名】明細書
【補正対象項目名】全文
【補正方法】変更
【補正の内容】
【発明の詳細な説明】
【技術分野】
【０００１】
本発明の複数の実施形態は、通信技術に関し、特に、スケジューリング方法及び基地局に関する。
【背景技術】
【０００２】
無線通信システムにおいては、基地局は、端末に無線リソースを割り当てて、データ伝送を実装する。無線リソース割り当てプロセスは、また、スケジューリングプロセスとも称される。スケジューリングは、アップリンクスケジューリング及びダウンリンクスケジューリングを含んでもよい。アップリンクスケジューリングは、端末にアップリンクリソースを割り当てるのに使用され、それによって、その端末は、そのアップリンクリソースによってデータを送信する。ダウンリンクスケジューリングは、端末にダウンリンクリソースを割り当てるのに使用され、それによって、基地局は、そのダウンリンクリソースを使用して、その端末にデータを送信する。
【０００３】
アップリンクスケジューリングは、スケジューリング要求(scheduling  request,  SR)又はバッファ状態報告(Buffer  Status  Report,  BSR)によってトリガされてもよい。すなわち、端末が、アップリンクデータを送信する必要がある場合に、その端末は、SR又はBSRを報告することによって、その端末にアップリンクリソースを割り当てるように基地局をトリガしてもよい。例えば、図1を参照すると、図1は、既存のアップリンクスケジューリングプロセスの概略的な図である。図1に示されているように、そのアップリンクスケジューリングプロセスにおいては、端末がアップリンクデータを送信する必要がある場合に、その端末は、基地局にSRを送信して、その端末がアップリンクデータを送信する必要があるということをその基地局に知らせ、その基地局は、そのSRを受信した後に、その端末にアップリンクグラント(UL  Grant)を配信する。そのアップリンクグラントは、その端末に割り当てられているリソースを示す。そのアップリンクグラントを受信した後に、その端末は、そのアップリンクグラントが示すリソースを使用することによって、BSRを送信して、その端末が送信しようとしているアップリンクデータの量をその基地局に知らせ、それによって、その基地局は、そのBSRに基づいて、その端末により多くのアップリンクリソースを割り当て、そして、アップリンクグラントを配信する。この手法によって、その端末は、アップリンクグラントが示すリソースを使用することによって、アップリンクデータを継続して伝送することが可能である。加えて、BSRを送信している間にも、また、アップリンクデータを送信してもよい。
【０００４】
端末のサービングセルが変化する(例えば、ハンドオーバーが生起する)場合、又は、端末がいくつかの理由によりそのサービングセルにアクセスしなおす場合に、その端末は、また、SR又はBSRを送信することによって、アップリンクスケジューリングをトリガする。例えば、ソースセルからターゲットセルにハンドオーバーされる場合に、その端末は、ターゲットセルにおいてSRを報告するか、或いは、そのハンドオーバーを完了した際にBSRを送信し、それにより、アップリンクスケジューリングをトリガする。
【０００５】
従来技術においては、端末は、その端末についてのハンドオーバーが完了した後にのみ、アップリンクスケジューリングをトリガすることが可能であるということを理解することが可能である。セルハンドオーバーのためには、比較的長い時間が必要となる。結果として、その端末のアップリンクデータ送信遅延は、比較的長くなり、それにより、ユーザイクスペアリアンスに影響を与える。特に、(音声サービス等の)比較的高い遅延要件を有するサービスについては、そのような遅延は、いっそう受け入れ難いものとなる。
【発明の概要】
【０００６】
本発明の複数の実施形態は、スケジューリング方法及び基地局を提供して、セルハンドオーバーによって引き起こされるアップリンク送信遅延を低減する。
【０００７】
第1の態様によれば、この出願は、スケジューリング方法であって、当該方法は、ターゲットセルへと端末をハンドオーバーさせるプロセスに適用され、当該方法は、前記端末が送信したランダムアクセス要求を、ターゲット基地局によって受信するステップと、前記ランダムアクセス要求にしたがって、前記端末に、ランダムアクセス応答を送信するステップと、前記ランダムアクセス応答を送信した後であって、かつ、ハンドオーバー完了コマンドを受信する前に、前記端末に、アップリンクグラントを事前に送信するステップと、を含む、方法を提供する。そのターゲット基地局は、ターゲットセルにサービスを提供する基地局である。アップリンクグラントを事前に送信することによって、そのターゲット基地局は、セルハンドオーバーが完了する前に、UEのためのアップリンクスケジューリングを実行して、そのセルハンドオーバーによって引き起こされるアップリンク送信遅延を低減することが可能である。
【０００８】
第1の態様の第1の実装において、端末が送信したハンドオーバー完了コマンドを受信した場合に、そのターゲット基地局は、その端末へのアップリンクグラントの事前の送信を停止する。ハンドオーバー完了コマンドに基づいて、アップリンクグラントの事前の送信を停止することによって、事前の許可によって過剰なアップリンクリソースを割り当てることが原因となって引き起こされるリソースの浪費を低減し、ハンドオーバーが成功した後は、既存のスケジューリング方式にしたがって、端末にアップリンクリソースを割り当てるということを保証することが可能である。
【０００９】
第1の態様の第2の実装において、前記ターゲット基地局によって前記端末に、アップリンクグラントを事前に送信する前記ステップは、具体的には、前記ターゲット基地局によって前記端末に、あらかじめ設定された時間期間の中で複数のアップリンクグラントを送信するステップ、及び、前記あらかじめ設定された時間期間が終了した後に、前記端末への前記アップリンクグラントの事前の送信を停止するステップである。
【００１０】
第1の態様の第3の実装において、アップリンクグラントの事前の送信を開始した後に、そのターゲット基地局は、その端末が送信したBSR又はSRを受信し、そして、そのBSR又はそのSRに基づいて、その端末へのアップリンクグラントの事前の送信を停止する。そのBSR又はそのSRに基づいて、アップリンクグラントの事前の送信を停止することによって、事前の許可によって過剰なアップリンクリソースを割り当てることが原因となって引き起こされるリソースの浪費を低減する。加えて、BSR又はSRは、端末がアップリンクデータを送信する必要がある場合に送信され、したがって、さらに、事前のアップリンクグラントの送信の停止に起因して、過剰な少数のリソースを割り当てるために、端末の要件を満足することができなくなるという状況を回避する。
【００１１】
第1の態様の第4の実装において、端末へのアップリンクグラントの事前の送信の前に、ターゲット基地局は、さらに、端末が音声サービスを現在有しているか否かを決定してもよく、その端末が音声サービスを現在有している場合にのみ、そのターゲット基地局は、その端末にアップリンクグラントを事前に送信する。音声サービスが現在存在しているか否かを決定すると、遅延要件が高くはない複数のサービスのために事前の許可を使用することが原因となって引き起こされるアップリンクリソースの浪費を低減することが可能である。
【００１２】
第1の態様の第5の実装において、前記ターゲット基地局によって前記端末に、アップリンクグラントを事前に送信する前記ステップは、前記ランダムアクセス応答を送信した後に、前記ターゲット基地局によって、前記端末の前記バッファ状態報告(BSR)のサイズを増加させるステップと、前記BSRの増加させたサイズに基づいて、前記端末にアップリンクリソースを割り当てるステップと、前記アップリンクリソースを示すのに使用されるアップリンクグラントを、前記端末に事前に送信するステップと、を含む。
【００１３】
第5の実装に基づいて、選択的に、前記ターゲット基地局によって、前記端末の前記BSRのサイズを増加させる前記ステップは、具体的には、前記ターゲット基地局によって、前記端末の現在のサービス属性に基づいて、前記端末の前記BSRの前記サイズを増加させるステップ、又は、前記ターゲット基地局によって、あらかじめ設定されたサイズに基づいて、前記BSRの前記サイズを増加させるステップ、である。サービス属性に基づいて、BSRのサイズを増加させる方法によれば、アップリンクリソースの利用を改善することが可能であり、過剰なアップリンクリソースを割り当てることが原因となって引き起こされるリソースの浪費を低減することが可能であり、そして、さらに、過剰な少数のリソースを割り当てるために、端末の要件を満足することができなくなるという状況を回避することが可能である。
【００１４】
第1の態様の第6の実装において、前記ターゲット基地局によって前記端末に、アップリンクグラントを事前に送信する前記ステップは、具体的には、前記ターゲット基地局によって前記端末に、あらかじめ設定されたサイズのアップリンクグラントを周期的にかつ事前に送信するステップである。
【００１５】
第1の態様の第7の実装において、前記ランダムアクセス応答を送信した後であって、かつ、ハンドオーバー完了コマンドを受信する前に、前記ターゲット基地局によって前記端末に、アップリンクグラントを事前に送信する前記ステップは、前記ターゲット基地局によって、前記ランダムアクセス応答を送信した後のN番目のTTIから、前記端末への前記アップリンクグラントの送信を開始するステップを含み、Nは、3以上であって10以下の正の整数である。
【００１６】
第7の実装に基づいて、選択的に、ターゲット基地局は、ランダムアクセス応答を送信した後のN番目のTTIから、端末への複数のアップリンクグラントの送信を開始する。
【００１７】
第2の態様によれば、この出願は、基地局を提供し、その基地局は、第1の態様及び第1の態様の複数の実装のうちのいずれか1つにしたがって提供される方法を実行するための複数の機能モジュール又は手段を含む。
【００１８】
第3の態様によれば、この出願は、基地局を提供し、その基地局は、プロセッサ及びメモリを含み、そのメモリは、プログラムを格納するように構成され、そのプロセッサは、そのメモリに格納されているプログラムを呼び出して、この出願の第1の態様にしたがって提供される方法を実行する。
【００１９】
上記の複数の態様において、ターゲット基地局は、ランダムアクセス応答を送信した後であって、かつ、ハンドオーバー完了コマンドを受信する前に、端末にアップリンクグラントを事前に送信する。アップリンクグラントを事前に送信することによって、ターゲット基地局は、セルハンドオーバーが完了する前に、UEのためのアップリンクスケジューリングを実行して、そのセルハンドオーバーが引き起こすアップリンク送信遅延を低減することが可能である。
【図面の簡単な説明】
【００２０】
本発明の複数の実施形態にしたがった又は従来技術にしたがった複数の技術的解決方法をより明確に説明するために、以下の記載は、それらの複数の実施形態又は従来技術を説明するのに必要となる複数の添付の図面を簡潔に説明する。明らかなことではあるが、以下の説明の中の複数の添付の図面は、本発明の複数の実施形態のうちのいくつかを示し、当業者は、創造的な努力を行うことなく、これらの複数の添付の図面から他の図面を導き出すことが可能である。
【００２１】
【図１】既存のアップリンクスケジューリングプロセスの概略的な図である。
【図２】既存のセルハンドオーバープロセスにしたがったアップリンクスケジューリングの概略的な図である。
【図３】図2に示されているアップリンクスケジューリングプロセスの時間シーケンス図である。
【図４】本発明のある1つの実施形態にしたがったセルハンドオーバープロセスにおけるアップリンクスケジューリングの概略的な図である。
【図５】本発明のある1つの実施形態にしたがったスケジューリング方法のフローチャートである。
【図６】本発明のある1つの実施形態にしたがったアップリンクスケジューリングプロセスの時間シーケンス図である。
【図７】本発明のある1つの実施形態にしたがった基地局の概略的な構成図である。
【図８】本発明のある1つの実施形態にしたがった他の基地局の概略的な構成図である。
【発明を実施するための形態】
【００２２】
本発明の複数の実施形態の目的、技術的解決方法、及び利点をより明確にするために、以下の記載は、本発明の複数の実施形態にしたがった複数の添付の図面を参照して、本発明の複数の実施形態にしたがった複数の技術的解決方法をより明確に説明する。明らかなことではあるが、それらの説明される実施形態は、本発明の実施形態のすべてではなく一部である。創造的な努力を行うことなく本発明の複数の実施形態に基づいて当業者が得ることが可能であるすべての他の実施形態は、本発明の保護範囲に属するものとする。
【００２３】
以下の記載では、当業者による理解を容易にするために、この出願におけるいくつかの用語を説明する。
【００２４】
(1)  ユーザ機器とも称される端末(User  Equipment,  UE)は、無線接続機能を有するハンドヘルドデバイス又は車載型デバイス等の音声及び/又はデータ接続性をユーザに提供するデバイスである。例えば、一般的な端末は、携帯電話、タブレットコンピュータ、ノートブックコンピュータ、パームトップコンピュータ、モバイルインターネットデバイス(mobile  internet  device,  MID)、或いは、スマート時計、スマートバンド、又は歩数計等のウェアラブルデバイスを含む。
【００２５】
(2)  無線アクセスネットワーク(Radio  Access  Network,  RAN)デバイスは、無線ネットワークに端末を接続するとともに、基地局とも称されるデバイスである。無線アクセスネットワークデバイスは、進化型NodeB(evolved  Node  B,  eNB)、無線ネットワークコントローラ(radio  network  controller,  RNC)、NodeB(Node  B,  NB)、基地局コントローラ(Base  Station  Controller,  BSC)、基地局装置(Base  Transceiver  Station,  BTS)、ホーム進化型NodeB又はホームNodeB(例えば、Home  evolved  NodeB,  又はHome  Node  B,  HNB)、或いは、ベースバンドユニット(Baseband  Unit,  BBU)を含むが、これらには限定されない。加えて、無線アクセスネットワークデバイスは、ワイヤレスフィデリティ(Wireless-Fidelity,  Wifi)アクセスポイント(Access  Point,  AP)等を含んでもよい。
【００２６】
(3)  "複数の"は、2又はそれ以上を意味する。"及び/又は"は、複数の関連する対象の関連性関係を記載し、3つの関係が存在してもよいということを表す。例えば、A及び/又はBは、Aのみが存在する、A及びBの双方が存在する、そして、Bのみが存在する、の3つの場合を表してもよい。文字"/"は、一般的に、その文字の前及び後の複数の関連する対象の間の"又は"の関係を示す。
【００２７】
図2を参照すると、図2は、既存のセルハンドオーバープロセスにおけるアップリンクスケジューリングの概略的な図である。図2に示されているように、ソースセルからターゲットセルに端末をハンドオーバーする必要がある場合に、ソースセルにサービスを提供する(以下では、ソース基地局と称される)基地局は、端末にハンドオーバコマンド(Handover  Command,  略称HO-CMD)を送信する。ハンドオーバコマンドを受信した後に、その端末は、ターゲットセルにサービスを提供する(以下では、ターゲット基地局と称される)基地局にランダムアクセス要求を送信する。ターゲット基地局は、ランダムアクセス要求にしたがって、端末にランダムアクセス応答(Random  Access  Response,  RAR)を送信する。その後、端末は、ターゲット基地局にハンドオーバー完了コマンド(Handover  Complete  Command,  HO-CMP)を送信する。ハンドオーバー完了コマンドは、バッファ状態報告(Buffer  Status  Report,  BSR)を搬送してもよい。ハンドオーバー完了コマンドを受信した後に、ターゲット基地局は、ハンドオーバー完了コマンドの中で搬送されるBSRを発見し、その端末がアップリンクデータを送信する必要があるということを知り、したがって、そのターゲット基地局は、BSRに基づいて端末にアップリンクリソースを割り当て、端末に割り当てられたアップリンクリソースを示すアップリンクグラントを端末に送信する。続いて、その端末は、アップリンクグラントが示すアップリンクリソースを使用して、そのターゲット基地局にアップリンクデータを送信することが可能である。
【００２８】
端末は、その端末についてのハンドオーバーが完了した後にのみ、アップリンクスケジューリングをトリガすることが可能であるということを理解することが可能である。セルハンドオーバーのためには、比較的長い時間が必要となる。結果として、その端末のある特定のアップリンクデータ送信遅延を引き起こし、それにより、ユーザイクスペアリアンスに影響を与える。特に、音声サービス等の遅延の影響を受けやすいサービスについては、そのような遅延は、いっそう受け入れ難いものとなる。
【００２９】
図3を参照すると、図3は、図2に示されているアップリンクスケジューリングプロセスの時間シーケンス図である。図3においては、1つの例として、ロングタームエボリューション(Long  Term  Evolution,  LTE)システムを使用する。図3に示されているように、1番目の行は、時間を表し、単位は、送信時間間隔(Transmission  Time  Interval,  TTI)であり、2番目の行は、ターゲット基地局の動作を表し、そして、3番目の行は、端末の動作を表す。ターゲット基地局は、TTI0において、端末にランダムアクセス応答を送信し、その端末は、TTI6において、ターゲット基地局にハンドオーバー完了コマンドを送信し、そのターゲット基地局は、TTI9において、ハンドオーバー完了コマンドを受信し、そして、TTI10から、アップリンクグラントの送信を開始すると仮定する。端末が送信するべき比較的大きな量のデータが存在する場合に、基地局は、例えば、TTI10乃至13のすべてにおいてアップリンクグラントを送信するといったように、複数回にわたって、端末にアップリンクグラントを送信してもよい。ターゲット基地局がハンドオーバー完了コマンドを受信する時間は、固定されていないが、TTI8、TTI9、又はTTI10であってもよいということに留意すべきである。それに応じて、ターゲット基地局がハンドオーバー完了コマンドを受信する時間が、TTI8である場合に、ターゲット基地局が端末へのアップリンクグラントの送信を開始する時間は、TTI9であってもよいか、又は、ターゲット基地局がハンドオーバー完了コマンドを受信する時間がTTI10である場合には、そのターゲット基地局は、TTI11において端末へのアップリンクグラントの送信を開始してもよい。ランダムアクセス応答を送信することからアップリンクグラントの送信を開始するまで、そのターゲット基地局は、少なくとも8乃至10つのTTIを必要とするということを、上記の時間シーケンスの関係から理解することが可能である。したがって、音声サービス等の遅延の影響を受けやすいサービスについては、ユーザイクスペアリアンスは深刻な影響を被る。
【００３０】
アップリンクデータ送信遅延を低減するために、本発明のある1つの実施形態は、スケジューリング方法を提供する。セルハンドオーバープロセスにおいては、ランダムアクセス応答を送信した後であって、かつ、ハンドオーバー完了コマンドを受信する前に、ターゲット基地局は、端末にアップリンクグラントを事前に送信する。アップリンクグラントを事前に送信することによって、そのターゲット基地局は、セルハンドオーバーが完了する前に、UEのためのアップリンクスケジューリングを実行して、セルハンドオーバーによって引き起こされる遅延を低減することが可能である。以下の記載では、複数の具体的な実施形態を使用することによって、本発明にしたがった方法を詳細に説明する。
【００３１】
加えて、上記のハンドオーバーがセル間ハンドオーバーである場合に、ソースセル及びターゲットセルは、異なるセルであるが、ソースセル及びターゲットセルは、同じ基地局によってサービスを提供されていてもよく、或いは、複数の異なる基地局によってサービス提供されてもよいということに留意すべきである。言い換えると、ソース基地局及びターゲット基地局は、同じ基地局であってもよく、或いは、異なる基地局であってもよい。上記のハンドオーバーがセル内のハンドオーバーである場合には、ソースセル及びターゲットセルは、同じセルであってもよく、そして、ターゲット基地局は、ソース基地局でもある。
【００３２】
図4を参照すると、図4は、本発明のある1つの実施形態にしたがったセルハンドオーバープロセスにおけるアップリンクスケジューリングの概略的な図である。図4に示されているように、図4と図2との間の相違点は、ランダムアクセス応答を送信した後であって、かつ、ハンドオーバー完了コマンドを受信する前に、ターゲット基地局が、端末にアップリンクグラントを事前に送信するということにある。加えて、ターゲット基地局は、複数回にわたって、複数のアップリンクグラントを連続的に送信してもよく、或いは、1回のみ、アップリンクグラントを送信してもよい。
【００３３】
図5は、本発明のある1つの実施形態にしたがったスケジューリング方法のフローチャートである。その方法は、ターゲットセルへと端末をハンドオーバーさせるプロセスに適用される。図5に示されているように、この実施形態にしたがった方法は、以下のステップを含んでもよい。
【００３４】
ステップ101:  ターゲットセルにサービスを提供するターゲット基地局は、端末が送信したランダムアクセス要求を受信する。
【００３５】
ステップ102:  ターゲット基地局は、ランダムアクセス要求にしたがって、端末にランダムアクセス応答を送信する。
【００３６】
ステップ103:  ターゲット基地局は、ランダムアクセス応答を送信した後であって、かつ、ハンドオーバー完了コマンドを受信する前に、端末にアップリンクグラントを事前に送信する。
【００３７】
ステップ103において、ターゲット基地局は、ランダムアクセス応答を送信した後であって、かつ、ハンドオーバー完了コマンドを受信する前に、その端末にアップリンクグラントを事前に送信する。
【００３８】
本明細書においては、事前の送信は、ターゲット基地局が、端末が送信するSR又はBSRを受信していないときに、そのターゲット基地局が、端末にアップリンクグラントを送信するということを意味する。既存のアップリンクスケジューリング手順は、セルハンドオーバーが完了した後であって、端末がアップリンクデータを送信する必要がある場合に、その端末は、ターゲット基地局に送信されるハンドオーバー完了コマンドにBSRを追加し、そして、ハンドオーバー完了コマンドを受信した後に、そのターゲット基地局が、そのBSRに基づいて、端末にリソースを割り当て、アップリンクグラントを配信する、という手順である。代替的に、ターゲット基地局が、端末が送信したハンドオーバー完了コマンドを受信した後に、その端末は、そのターゲット基地局にSRを送信する。通常は、SRは、その端末がデータを送信する必要があるということのみをターゲット基地局に知らせるのに使用されるが、一方で、その端末が送信する必要があるデータの特定の量をそのターゲット基地局に知らせるのには使用されない。そのターゲット基地局は、そのSRに基づいて、その端末にリソースを割り当て、そして、アップリンクグラントを配信する。この場合には、ターゲット基地局は、端末が必要とするアップリンクリソースの特定の量を知らないので、そのターゲット基地局は、BSRを送信するのに使用されるアップリンクリソースのみをその端末に割り当ててもよく、そして、その端末は、許可されたそのアップリンクリソースによってそのBSRを送信する。そのBSRは、端末が送信することを必要とするデータの量を搬送し、そのターゲット基地局は、そのBSRに基づいて、その端末に許可を提供する。そのアップリンクグラントを取得した後に、その端末が、さらに続けてデータを送信する必要がある場合には、その端末は、代替的に、アップリンクサブフレームにそのBSRを追加してもよい。そのターゲット基地局は、そのBSRに基づいて、その端末に継続して許可を提供する。もちろん、そのターゲット基地局は、代替的に、そのSRを受信した後に、その端末にあらかじめ設定されたサイズのリソースを割り当ててもよく、その端末は、そのリソースを使用して、そのBSRを送信し、加えて、そのリソースの残りの部分を使用して、アップリンクデータを送信する。この実施形態の上記の解決方法においては、端末が、ターゲット基地局にまだハンドオーバーされてはいないときに、その端末は、そのターゲット基地局にSR又はBSRを送信することは不可能である。この場合に、その端末は、データを送信する必要がある場合がある。その端末のデータを時間内に確実に送信できるようにするために、そのターゲット基地局が、SR又はBSRを受信しない場合であっても、そのターゲット基地局は、その端末にアップリンクグラントを送信する。
【００３９】
ターゲット基地局は、ランダムアクセス応答を送信した後であって、かつ、ハンドオーバー完了コマンドを受信する前のいずれかの時間において、アップリンクグラントを送信してもよい。ユニバーサル移動体通信システム(Universal  Mobile  Telecommunications  System,  UMTS)又はLTEシステム等の既存のネットワークシステムにおいては、TTIは、通常、(例えば、スケジューリング等の)無線リソース管理にしたがって管理される基本的な時間単位として使用され、1つのTTIは、1ミリ秒(ms)、すなわち、サブフレームの長さである。もちろん、技術の進歩に伴って、TTIの長さは、例えば、0.5[ms]等の他の値であってもよい。このことは、本発明を限定するのには使用されない。ターゲット基地局は、ランダムアクセス応答を送信した後のN番目のTTIから、端末へのアップリンクグラントの事前の送信を開始してもよい。Nは、3以上であって10以下の正の整数である。ターゲット基地局がハンドオーバー完了コマンドを受信する時間が、TTI8である場合には、Nの最大値は、8であり、ターゲット基地局がハンドオーバー完了コマンドを受信する時間が、TTI9である場合には、Nの最大値は、9であり、或いは、ターゲット基地局がハンドオーバー完了コマンドを受信する時間が、TTI10である場合には、Nの最大値は、10である。
【００４０】
この実施形態においては、ターゲット基地局が事前に送信するアップリンクグラントの数は、制限されない。そのターゲット基地局は、ランダムアクセス応答を送信した後のN番目のTTIから、1つのアップリンクグラント又は複数のアップリンクグラントの送信を開始してもよい。複数のアップリンクグラントの送信の間に、連続的に又は非連続的に、それらの複数のアップリンクグラントを送信してもよい。すなわち、そのターゲット基地局は、ランダムアクセス応答を送信した後のN番目のTTIから、それらのアップリンクグラントの連続的な送信を開始してもよく、或いは、ランダムアクセス応答を送信した後のN番目TTIから、それらのアップリンクグラントの非連続的な送信を開始してもよい。例えば、そのターゲット基地局は、1つのTTIごとに1つのアップリンクグラントを送信するか、或いは、2つのTTIごとに1つのアップリンクグラントを送信する。Nの値は、あらかじめ設定されていてもよく、或いは、あらかじめ設定された規則にしたがって、ターゲット基地局がリアルタイムで決定してもよい。端末の複数の異なるサービスについて、Nの値は、同じであってもよく、或いは、異なっていてもよい。Nの値は、サービスの遅延感受性に基づいて決定されてもよい。遅延の影響を受けやすいサービスのNの値は、遅延の影響を受けやすくはないサービスのNの値よりも小さくてもよい。例えば、遅延の影響を受けやすいサービスの場合には、Nの値は、3であり、遅延の影響を受けやすくはないサービスの場合には、Nの値は、6であってもよい。
【００４１】
Nの値が3である場合には、ターゲット基地局は、ランダムアクセス応答を送信した後の3番目のTTIから、端末へのアップリンクグラントの事前の送信を開始する。図6は、本発明のある1つの実施形態にしたがったアップリンクスケジューリングプロセスの時間シーケンス図である。図6に示されているように、ターゲット基地局は、TTI0においてランダムアクセス応答を送信し、そのターゲット基地局は、TTI3から、アップリンクグラントの送信を開始し、端末は、TTI6において、そのターゲット基地局にハンドオーバー完了コマンドを送信し、そして、そのターゲット基地局は、TTI9において、そのハンドオーバー完了コマンドを受信すると仮定する。上記の実施形態にしたがったメカニズムによれば、ターゲット基地局は、TTI3から、アップリンクグラントの送信を開始し、その端末は、4つのTTIの間隔で、物理アップリンク共有チャネル(Physical  Uplink  Shared  Channel,  PUSCH)の送信の実行を開始する、すなわち、その端末は、TTI7から、PUSCHの送信の実行を開始する。図2と図6とを比較することにより、この実施形態にしたがった方法においては、ターゲット基地局は、TTI3からアップリンクグラントの送信を開始する。ターゲット基地局が、早くてもTTI10においてアップリンクグラントの送信を開始することが可能である従来技術と比較すると、9つのTTIから3つのTTIへと遅延が減少する、すなわち、遅延は、6つのTTIだけ減少する。
【００４２】
ターゲット基地局が、端末にアップリンクグラントを事前に送信する複数の実装が存在してもよい。例えば、ターゲット基地局は、端末に、あらかじめ設定されたサイズのアップリンクグラントを周期的にかつ事前に送信し、他の例では、ターゲット基地局は、端末のBSRのサイズを事前に増加させ、そのBSRの増加させたサイズに基づいて、アップリンクグラントをトリガする。そのBSRのサイズは、基地局及び端末において、バッファサイズの値(Buffer  Size  BS  value)として保持される。端末は、その端末のBSRのサイズに基づいて、基地局にインデックス(Index)を報告する。そのインデックスは、BSRのサイズを示すのに使用される。そのインデックスを受信した後に、その基地局は、その基地局が保持しているBSRのサイズを更新し、そのBSRの更新されたサイズに基づいて、その端末にアップリンクリソースを割り当て、そして、許可を配信する。この出願のこの実施形態においては、ターゲット基地局は、独自にBSRのサイズを増加させ、その端末のためのアップリンクリソース割り当てをトリガし、そして、許可を配信する。BSRのサイズを増加させる過程において、そのBSRのサイズは、自動的にかつ周期的に増加されてもよく、あらかじめ設定されたサイズに基づいて、一度に増加されてもよく、或いは、その端末のサービス属性に基づいて、増加されてもよい。例えば、端末の現在のサービスが音声サービスである場合には、音声パケットサイズを推定してもよく、その音声パケットサイズに基づいて、そのBSRのサイズを事前に増加させてもよい。
【００４３】
サービス属性に基づいてBSRのサイズを増加させる方法によれば、アップリンクリソースの利用を改善することが可能であり、過剰なアップリンクリソースを割り当てることが原因となって引き起こされるリソースの浪費を低減することが可能であり、そして、さらに、過剰な少数のアップリンクリソースを割り当てるために、端末の要件を満足することができなくなるという状況を回避することが可能である。
【００４４】
上記の方法においては、ターゲット基地局は、端末の現在のサービス属性に基づいて、送信されるべきアップリンクグラントの数を決定する。例えば、サービス属性は、遅延属性である。遅延の影響を受けやすいサービスの場合には、遅延を最小にするために、ターゲット基地局は、アップリンクリソースのうちのいくつかを浪費することを代償に、その遅延を保証することを選択してもよく、したがって、Mの値は、比較的大きく、それに応じて、ターゲット基地局が割り当てるアップリンクグラントの数Lの値も、また、大きい。遅延の影響を受けやすくはないサービスの場合には、アップリンクリソースの浪費を避けるために、Mの値は、比較的小さく、それに応じて、ターゲット基地局が割り当てるアップリンクグラントの数Lの値も、また、小さい。代替的に、サービス属性は、サービスデータタイプであってもよく、サービスデータタイプは、テキスト、画像、動画、及び音声等のタイプを含む。動画サービス及び音声サービスの場合には、ユーザイクスペアリアンスを改善するために、M及びLの値は、比較的大きい。テキスト又は画像の場合には、アップリンクリソースの浪費を避けるために、M及びLの値は、比較的小さい。上記のことは、説明のための例であるにすぎず、サービス属性は、遅延属性及びデータタイプに限定されず、さらに、他の属性であってもよい。
【００４５】
この実施形態においては、ターゲット基地局は、ハンドオーバー完了コマンドを受信する前に、アップリンクグラントを事前に送信し、さらに、ハンドオーバー完了コマンドを受信した後に、既存のアップリンクスケジューリング方式にしたがってスケジューリングを実行する。
ターゲット基地局は、以下の場合に、アップリンクグラントの事前の送信を停止してもよい。
【００４６】
(1)  ターゲット基地局は、端末が送信するハンドオーバー完了コマンドを受信し、そのハンドオーバー完了コマンドに基づいて、その端末へのアップリンクグラントの事前の送信を停止する。
【００４７】
(2)  ターゲット基地局は、予め設定された時間期間の中で、端末に複数のアップリンクグラントを送信し、その時間期間が終了した後に、そのターゲット基地局は、端末へのアップリンクグラントの事前の送信を停止する。あらかじめ設定された時間期間は、複数のTTIであってもよく、それらの複数のTTIの中で、そのターゲット基地局は、端末にそれらの複数のアップリンクグラントを事前に送信し、そして、それらの複数のTTIが終了する場合に、そのターゲット基地局は、端末へのアップリンクグラントの事前の送信を停止する。
【００４８】
(3)  ターゲット基地局は、端末が送信したBSR又はSRを受信し、そして、そのBSR又はSRに基づいて、その端末へのアップリンクグラントの事前の送信を停止する。端末がターゲット基地局にSRを送信することは、その端末がターゲットセルにハンドオーバーされており、データを送信する必要があるということを示す。この場合には、既存のアップリンクスケジューリング方式に基づいて、スケジューリングを実行してもよい。したがって、ターゲット基地局は、端末へのアップリンクグラントの事前の送信を停止する。代替的に、端末は、ハンドオーバー完了コマンドにBSRを追加し、ターゲット基地局は、ハンドオーバー完了コマンドの中で搬送されるBSRに基づいて、その端末へのアップリンクグラントの事前の送信を停止する。代替的に、ターゲット基地局がアップリンクグラントを事前に送信した後に、その端末は、許可されたアップリンクリソースによって、BSRを送信し、そのターゲット基地局は、そのBSRに基づいて、端末へのアップリンクグラントの事前の送信を停止する。
【００４９】
音声サービス、動画サービス、及びテキストサービス等の様々なサービスに、この実施形態にしたがった方法を適用することが可能である。音声サービスは、遅延の影響を受けやすいサービスであり、セルハンドオーバーによって引き起こされる遅延は、端末のアップリンク音声パケットのブロッキングを引き起こす。結果として、特定のパケットの遅延を引き起し、通話品質が一時的に低下し、音声のユーザイクスペアリアンスに影響を与える。選択的に、ステップ103の前に、ターゲット基地局は、さらに、端末が音声サービスを現在有しているか否かを決定してもよく、その端末が音声サービスを現在有している場合には、そのターゲット基地局は、ランダムアクセス応答を送信した後であって、かつ、ハンドオーバー完了コマンドを受信する前に、その端末にアップリンクグラントを事前に送信する。その端末が音声サービスを現在有していない場合には、そのターゲット基地局は、その端末がターゲットセルにハンドオーバーされた後に、その端末のためのスケジューリングの実行を開始する。
【００５０】
この実施形態にしたがった音声サービスは、サービスのタイプの総称であるということに留意すべきである。サービスのタイプは、同じサービス品質(quality  of  service,  略称QoS)要件を有し、QoSクラス識別子(QoS  Class  Identifier,  略称QCI)を使用することによって、QoS要件を表してもよい。ターゲット基地局は、QCIに基づいて、端末が、送信されるべき音声サービスを現在有しているか否かを決定してもよい。例えば、QCI1、QCI2、及びQCI5は、すべて音声と関連するQCIである。QCI1は、音声サービスを運び、QCI2は、動画サービスを運び、そして、QCI5は、音声サービスを確立し又は解放するのに使用されるセッション開始プロトコル(Session  Initiation  Protocol,  略称SIP)シグナリング等の音声サービスのSIPシグナリングを運ぶ。音声サービスが確立されつつあるときに、QCI5を使用することによって、コアネットワークデバイスにそのSIPシグナリングを送信し、それによって、QCI1ベアラを確立して、音声サービスを確立するように、そのコアネットワークデバイスをトリガし、或いは、テレビ電話サービスを実装するのにQCI1ベアラ又はQCI2ベアラを確立することを必要とする。音声サービスが終了する場合には、対応するSIPシグナリングは、QCI5によって送信されて、QCI1を解放して音声サービスを終了させるようにCN装置をトリガするか、或いは、テレビ電話サービスの場合には、QCI1及びQCI2を解放するようにCNデバイスをトリガし、これにより、通話が終了したと判断される。したがって、ターゲット基地局によって、端末が音声サービスを実行しているか否かを決定する際に、音声サービスが開始し及び終了するか否かは、QCI5によって送信されるSIPシグナリングを使用することによって決定されてもよく、或いは、QCI1ベアラを使用することによって決定されてもよい。
【００５１】
この実施形態においては、セルハンドオーバープロセスにおいて、ターゲットセルにサービスを提供するターゲット基地局は、端末が送信するランダムアクセス要求を受信し、そのランダムアクセス要求にしたがって、端末にランダムアクセス応答を送信し、そして、ランダムアクセス応答を送信した後であって、かつ、ハンドオーバー完了コマンドを受信する前に、その端末にアップリンクグラントを事前に送信する。アップリンクグラントを事前に送信することによって、そのターゲット基地局は、セルハンドオーバーが完了する前に、UEのためのアップリンクスケジューリングを実行して、そのセルハンドオーバーが引き起こすアップリンク送信遅延を低減することが可能である。
【００５２】
図7は、本発明のある1つの実施形態にしたがった基地局の概略的な構造図である。その基地局は、端末がハンドオーバーされるターゲットセルにサービスを提供するターゲット基地局である。図7に示されているように、その基地局は、受信モジュール11、送信モジュール12、及びスケジューリングモジュール13を含む。
【００５３】
受信モジュール11は、端末が送信したランダムアクセス要求を受信するように構成される。
【００５４】
送信モジュール12は、ランダムアクセス要求にしたがって、端末にランダムアクセス応答を送信するように構成される。
【００５５】
スケジューリングモジュール13は、送信モジュール12がランダムアクセス応答を送信した後であって、かつ、受信モジュール11がハンドオーバー完了コマンドを受信する前に、送信モジュール12によって、端末にアップリンクグラントを事前に送信するように構成される。
【００５６】
選択的に、スケジューリングモジュール13は、さらに、受信モジュール11が、端末が送信したハンドオーバー完了コマンドを受信した場合に、その端末へのアップリンクグラントの事前の送信を停止するように送信モジュール12を制御するように構成される。
【００５７】
選択的に、スケジューリングモジュール13は、特に、送信モジュール12を使用することによって、あらかじめ設定された時間期間の中で端末に複数のアップリンクグラントを送信し、そして、そのあらかじめ設定された時間期間が終了した後に、端末へのアップリンクグラントの事前の送信を停止するように送信モジュール12を制御する、ように構成される。
【００５８】
選択的に、受信モジュール11は、さらに、端末が送信したBSR又はSRを受信するように構成される。それに応じて、スケジューリングモジュール13は、さらに、BSR及びSRに基づいて、端末へのアップリンクグラントの事前の送信を停止するように送信モジュール12を制御するように構成される。
【００５９】
選択的に、基地局は、(図7には示されていない)決定モジュールをさらに含む。その決定モジュールは、端末が、音声サービスを現在有しているか否かを決定するように構成される。それに応じて、スケジューリングモジュール13は、特に、
端末が、音声サービスを現在有している場合に、送信モジュール12がランダムアクセス応答を送信した後であって、かつ、受信モジュール11がハンドオーバー完了コマンドを受信する前に、送信モジュール12を使用することによって、端末にアップリンクグラントを事前に送信するように構成される。
【００６０】
選択的に、スケジューリングモジュール13は、特に、以下の方式にしたがって、端末にアップリンクグラントを事前に送信する。
【００６１】
送信モジュール12がランダムアクセス応答を送信した後に、端末のBSRのサイズが増加させられ、BSRの増加させられたサイズに基づいて、端末にアップリンクリソースが割り当てられ、そして、アップリンクリソースを示すのに使用されるアップリンクグラントが、送信モジュール12を使用することによって端末に事前に送信される。選択的に、スケジューリングモジュールは、端末の現在のサービス属性に基づいて、端末のBSRのサイズを増加させるか、又は、あらかじめ設定されたサイズに基づいて、BSRの前記サイズを増加させる。
【００６２】
代替的に、あらかじめ設定されたサイズのアップリンクグラントは、端末に周期的にかつ事前に送信される。
【００６３】
代替的に、送信モジュール12がランダムアクセス応答を送信した後のN番目のTTIから、送信モジュール12を使用することによって、端末へのアップリンクグラントの送信を開始する。Nは、3以上であって10以下の正の整数である。選択的に、スケジューリングモジュールは、送信モジュール12を使用することによって、そのN番目のTTIから端末への複数のアップリンクグラントの送信を開始する。
【００６４】
図7に示されている基地局は、上記の方法の実施形態にしたがって提供される方法を実行するように構成されてもよい。具体的な実装及び技術的効果は、上記の実施形態にしたがって提供される方法の実装及び技術的効果と同様であり、本明細書においては、詳細は、繰り返しては説明されない。
【００６５】
基地局の複数のモジュールの上記の分割は、論理的機能分割にすぎず、実際の実装の際に、それらの複数のモジュールの一部又は全部を一体化して、1つの物理的エンティティとしてもよく、或いは、それらの複数のモジュールを物理的に分離してもよいということに留意すべきである。加えて、処理要素によってソフトウェアを呼び出すことによって、それらの複数のモジュールの全てを実装してもよく、或いは、ハードウェアによって、それらの複数のモジュールの全てを実装してもよく、或いは、処理要素によってソフトウェアを呼び出すことによって、いくつかのモジュールを実装してもよく、及び、ハードウェアによって、いくつかのモジュールを実装してもよい。例えば、スケジューリングモジュールは、独立して配置される処理要素であってもよく、或いは、実装のために、基地局のチップの中に一体化されてもよい。加えて、スケジューリングモジュールは、代替的に、プログラムコードの形態で、基地局のメモリに格納されていてもよく、基地局の処理要素によって呼び出されて、スケジューリングモジュールの上記の機能を実行する。他のモジュールの実装は、スケジューリングモジュールの実装と同様である。加えて、それらの複数のモジュールの全部又は一部を一体化してもよく、或いは、独立して実装してもよい。本明細書においては、処理要素は、信号処理能力を有する集積回路であってもよい。実装の際に、プロセッサ要素の中のハードウェアの集積論理回路を使用することによって、又は、ソフトウェア命令を使用することによって、上記の方法のステップ又は上記のモジュールを実装してもよい。
【００６６】
例えば、上記の方法を実施する1つ又は複数の特定用途向け集積回路(Application  Specific  Integrated  Circuit,  ASIC)、1つ又は複数のマイクロプロセッサ(digital  signal  processor,  DSP)、或いは、1つ又は複数のフィールドプログラマブルゲートアレイ(Field  Programmable  Gate  Array,  FPGA)等の1つ又は複数の集積回路として、上記のモジュールを構成してもよい。他の例では、処理要素によってプログラムコードを呼び出すことによって、上記の複数のモジュールのうちの1つを実装する場合には、その処理要素は、中央処理装置(Central  Processing  Unit,  CPU)等の汎用プロセッサ又はプログラムコードを呼び出すことが可能である他のプロセッサであってもよい。さらにもう1つの例では、それらのモジュールは、ともに一体化され、システムオンチップ(system-on-a-chip,  SOC)の形態で実装されてもよい。
【００６７】
図8は、本発明のある1つの実施形態にしたがった他の基地局の概略的な構造図である。図8に示されているように、この実施形態にしたがった基地局は、アンテナ110、無線周波数装置120、及び、ベースバンド装置130を含む。アンテナ110は、無線周波数装置120に接続されている。アップリンク方向においては、その無線周波数装置120は、アンテナ110を介して、端末が送信した情報を受信し、そして、処理のために、ベースバンド装置130に、端末が送信した情報を送信する。ダウンリンク方向においては、ベースバンド装置130は、端末に送信される情報を処理し、そして、無線周波数装置120に、処理された情報を送信する。端末に送信される情報を処理した後に、無線周波数装置120は、アンテナ110によって端末に、処理された情報を送信する。
【００６８】
ベースバンド装置130において、上記の実施形態にしたがって提供される方法を実装してもよい。ベースバンド装置130は、処理要素131及び記憶要素132を含む。例えば、ベースバンド装置130は、少なくとも1つのベースバンド処理基板を含んでもよい。そのベースバンド処理基板の上に、複数のチップを配置する。図8に示されているように、例えば、それらの複数のチップのうちの1つは、処理要素131であり、記憶要素132に接続されて、記憶要素132の中のプログラムを呼び出し、上記の方法の実施形態に示されている動作を実行する。ベースバンド装置130は、インターフェイス133をさらに含んでもよく、そのインターフェイス133は、無線周波数装置120との間で情報を交換するように構成される。例えば、そのインターフェイスは、一般公衆無線インターフェイス(common  public  radio  interface,  CPRI)である。
【００６９】
本明細書においては、処理要素は、1つのプロセッサであってもよく、或いは、複数の処理要素の総称であってもよい。例えば、処理要素は、CPU又はASICであってもよく、或いは、上記の方法を実装する1つ又は複数のマイクロプロセッサDSP又は1つ又は複数のフィールドプログラマブルゲートアレイFPGA等の1つ又は複数の集積回路として構成されてもよい。記憶要素は、1つのメモリであってもよく、或いは、複数の記憶要素の総称であってもよい。
【００７０】
最後に、上記の複数の実施形態は、本発明の複数の技術的解決方法を説明することを意図しているにすぎず、本発明を限定することを意図してはいないということに留意すべきである。上記の複数の実施形態を参照して、本発明を詳細に説明してきたが、当業者であれば、さらに、本発明の複数の実施形態のそれらの複数の技術的解決方法の範囲から離れることなく、上記の複数の実施形態にしたがって説明したそれらの複数の技術的解決方法に修正を行い、或いは、それらの複数の技術的特徴のうちの一部又は全部に等価な置換を行うことが可能であるということを、当業者は、理解するはずである。
【国際調査報告】
2019522933.tif 000011
2019522933.tif 000012
2019522933.tif 000013
2019522933.tif 000014
2019522933.tif 000015
2019522933.tif 000016